(57)【要約】【課題】ＭＴＣ  ＤＣＩを伝送するための方法および装置、基地局、ならびにユーザ機器を提供すること。【解決手段】方法は、ＭＴＣデバイスのために構成されたＤＣＩ伝送領域を判定することと、制御リソース構成情報を生成して、ＭＴＣデバイスに送ることと、ＤＣＩ伝送領域におけるＭＴＣデバイスの情報検出能力を判定することであって、情報検出能力が、ターゲット・リソース領域からのＤＣＩのサーチをＭＴＣデバイスがサポートするかどうかを示す、判定することと、情報検出能力および既定のリソース・マッピング・モードに従って、ＤＣＩ伝送領域にターゲット物理リソースをマッピングすることであって、ターゲット物理リソースが、ＭＴＣデバイスのＤＣＩを搬送する、マッピングすることと、ＤＣＩ伝送領域にマッピングしたターゲット物理リソースを通じてＭＴＣデバイスにＤＣＩを伝送することとを含む。本開示によって提供されるＭＴＣ  ＤＣＩを伝送する方法によって、伝送リソースを効果的に利用することができる。【選択図】図２
2021527359.tif 000002
【特許請求の範囲】
【請求項１】
マシン・タイプ・コミュニケーション、ＭＴＣ、ダウンリンク制御情報、ＤＣＩを伝送する方法であって、基地局に適用可能であり、
ＭＴＣデバイスのために構成されたＤＣＩ伝送領域を判定するステップと、
制御リソース構成情報を生成して、該ＭＴＣデバイスに送るステップと、
該ＤＣＩ伝送領域における該ＭＴＣデバイスの情報検出能力を判定するステップであって、該情報検出能力が、ターゲット・リソース領域からのＤＣＩのサーチを該ＭＴＣデバイスがサポートするかどうかを示し、該ターゲット・リソース領域が、元のＬＴＥシステムの制御領域である、ステップと、
該情報検出能力および既定のリソース・マッピング・モードに従って、該ＤＣＩ伝送領域にターゲット物理リソースをマッピングするステップであって、該ターゲット物理リソースが、該ＭＴＣデバイスの該ＤＣＩを搬送する、ステップと、
該ＤＣＩ伝送領域にマッピングした該ターゲット物理リソースを通じて該ＭＴＣデバイスに該ＤＣＩを伝送するステップと
を含む、方法。
【請求項２】
前記制御領域が、サブフレームの最初の３つのＯＦＤＭシンボルに対応する時間／周波数領域を含む、請求項１に記載の方法。
【請求項３】
前記既定のリソース・マッピング・モードが、
前記元のＬＴＥシステムのデータ領域に前記ターゲット物理リソースをマッピングするように構成された第１のマッピング・モード、および／または
サブフレームの有効領域に前記ターゲット物理リソースをマッピングするように構成された第２のマッピング・モードであって、該サブフレームの該有効領域が、該サブフレーム内のセル参照信号リソースを除いた時間／周波数領域である、第２のマッピング・モード
を含む、請求項１に記載の方法。
【請求項４】
前記データ領域が、
サブフレームの最後の１１個のＯＦＤＭシンボルに対応する時間／周波数領域
を含む、請求項３に記載の方法。
【請求項５】
前記ＤＣＩ伝送領域における前記ＭＴＣデバイスの前記情報検出能力を判定するステップが、
各ＭＴＣデバイスによってレポートされたデバイス能力情報を取得するステップと、
該デバイス能力情報に従って、前記ＭＴＣデバイスの前記情報検出能力を判定するステップと
を含む、請求項１に記載の方法。
【請求項６】
前記デバイス能力情報が、
前記情報検出能力を示すための既定の指示値
を含み、
前記デバイス能力情報に従って、前記ＭＴＣデバイスの前記情報検出能力を判定するステップが、
該既定の指示値が第１の指示値である場合、前記ターゲット・リソース領域からの前記ＤＣＩのサーチを前記ＭＴＣデバイスがサポートすると判定するステップと、
該既定の指示値が第２の指示値である場合、前記ターゲット・リソース領域からの前記ＤＣＩのサーチを前記ＭＴＣデバイスがサポートしないと判定するステップと
を含む、
請求項５に記載の方法。
【請求項７】
前記情報検出能力および前記既定のリソース・マッピング・モードに従って、前記ＤＣＩ伝送領域に前記ターゲット物理リソースをマッピングするステップが、
前記ターゲット・リソース領域からの前記ＤＣＩのサーチを前記ＭＴＣデバイスがサポートしない場合、前記第１のマッピング・モードに従って、前記ＤＣＩ伝送領域に前記ターゲット物理リソースをマッピングするステップ
を含む、請求項３に記載の方法。
【請求項８】
前記情報検出能力および前記既定のリソース・マッピング・モードに従って、前記ＤＣＩ伝送領域に前記ターゲット物理リソースをマッピングするステップが、
前記ターゲット物理リソースのターゲット・リソース・マッピング・モードを決定し、リソース・マッピングを実施するステップであって、該ターゲット・リソース・マッピング・モードが、前記第１のマッピング・モードまたは前記第２のマッピング・モードである、ステップと、
該ターゲット・リソース・マッピング・モードに従って、物理リソース構成情報を生成するステップであって、該物理リソース構成情報が、前記ターゲット物理リソースのマッピング範囲を前記ＭＴＣデバイスに知らせる、ステップと、
上層シグナリングを通じて前記ＭＴＣデバイスに該物理リソース構成情報を送るステップと
を含む、請求項３に記載の方法。
【請求項９】
前記情報検出能力および前記既定のリソース・マッピング・モードに従って、前記ＤＣＩ伝送領域に前記ターゲット物理リソースをマッピングするステップが、
前記ターゲット・リソース領域からの前記ＤＣＩのサーチを前記ＭＴＣデバイスがサポートする場合、制御チャネル要素、ＣＣＥ、集約レベルに従って、前記ＤＣＩ伝送領域に前記ターゲット物理リソースをマッピングするステップ
を含む、請求項３に記載の方法。
【請求項１０】
前記ＣＣＥ集約レベルに従って、前記ＤＣＩ伝送領域に前記ターゲット物理リソースをマッピングするステップが、
前記ＤＣＩ伝送領域のＣＣＥ集約レベルを判定するステップと、
該ＣＣＥ集約レベルが、前記ＤＣＩ伝送領域によってサポートされるＣＣＥの最大値より小さい場合、前記第１のマッピング・モードに従って、前記ＤＣＩ伝送領域に前記ターゲット物理リソースをマッピングするステップと、
該ＣＣＥ集約レベルが、前記ＤＣＩ伝送領域によってサポートされるＣＣＥの該最大値に等しい場合、前記第２のマッピング・モードに従って、前記ＤＣＩ伝送領域に前記ターゲット物理リソースをマッピングするステップと
を含む、請求項９に記載の方法。
【請求項１１】
前記ＤＣＩ伝送領域が、
異なるサイズのマッピング領域
を含み、
前記ＣＣＥ集約レベルに従って、前記ＤＣＩ伝送領域に前記ターゲット物理リソースをマッピングするステップが、
現在のマッピング領域のＣＣＥ集約レベルを判定するステップと、
該現在のマッピング領域の前記ＣＣＥ集約レベルが、該現在のマッピング領域によってサポートされるＣＣＥの最大値より小さい場合、前記第１のマッピング・モードに従って、該現在のマッピング領域に前記ターゲット物理リソースをマッピングするステップと、
該現在のマッピング領域の前記ＣＣＥ集約レベルが、該現在のマッピング領域によってサポートされるＣＣＥの該最大値に等しい場合、前記第２のマッピング・モードに従って、該現在のマッピング領域に前記ターゲット物理リソースをマッピングするステップと
を含む、
請求項９に記載の方法。
【請求項１２】
ＭＴＣ  ＤＣＩを伝送する方法であって、ＭＴＣデバイスに適用可能であり、該ＭＴＣデバイスが、ターゲット・リソース領域からのＤＣＩのサーチをサポートし、該ターゲット・リソース領域が、元のＬＴＥシステムの制御領域であり、該方法が、
基地局から制御リソース構成情報を取得するステップと、
ＤＣＩ伝送領域を判定するステップと、
既定の参照情報および該ＤＣＩ伝送領域に従って、ターゲット・サーチ領域を決定するステップであって、該既定の参照情報が、ブラインド検出ＣＣＥ集約レベル、または該基地局によって送られた物理リソース構成情報を含む、ステップと、
既定のブラインド検出ＣＣＥ集約レベルに従って、該ターゲット・サーチ領域からターゲットＤＣＩを検出するステップと
を含む、方法。
【請求項１３】
前記既定の参照情報が、前記ブラインド検出ＣＣＥ集約レベルを含む場合、前記既定の参照情報および前記ＤＣＩ伝送領域に従って、前記ターゲット・サーチ領域を決定するステップが、
未検出領域のブラインド検出ＣＣＥ集約レベルを判定するステップであって、該未検出領域が、前記ＤＣＩ伝送領域、または前記ＤＣＩ伝送領域のマッピング領域を含む、ステップと、
該ブラインド検出ＣＣＥ集約レベルが、該未検出領域によってサポートされるＣＣＥの最大値に等しい場合、該未検出領域全体のうちの有効領域を前記ターゲット・サーチ領域として決定するステップであって、該有効領域が、セル参照信号、ＣＲＳ、リソースを除いた該未検出領域全体のうちの１つの領域である、ステップと、
該ブラインド検出ＣＣＥ集約レベルが、該未検出領域によってサポートされるＣＣＥの該最大値より小さい場合、前記ターゲット・リソース領域を除いた該未検出領域を前記ターゲット・サーチ領域として決定するステップと
を含む、請求項１２に記載の方法。
【請求項１４】
前記既定の参照情報が、前記基地局によって送られた前記物理リソース構成情報を含む場合、前記既定の参照情報および前記ＤＣＩ伝送領域に従って、前記ターゲット・サーチ領域を決定するステップが、
前記物理リソース構成情報に従って、未検出領域の既定のリソース・マッピング・モードを決定するステップであって、該未検出領域が、前記ＤＣＩ伝送領域、または前記ＤＣＩ伝送領域のマッピング領域を含む、ステップと、
該既定のリソース・マッピング・モードが、第１のマッピング・モードである場合、前記ターゲット・リソース領域を除いた該未検出領域を前記ターゲット・サーチ領域として決定するステップと、
該既定のリソース・マッピング・モードが、第２のマッピング・モードである場合、該未検出領域全体のうちの有効領域を前記ターゲット・サーチ領域として決定するステップであって、該有効領域が、ＣＲＳリソースを除いた該未検出領域のうちの１つの領域である、ステップと
を含み、
該第１のマッピング・モードが、前記元のＬＴＥシステムのデータ領域にターゲット物理リソースをマッピングするように構成され、前記ターゲット物理リソースが、前記ＭＴＣデバイスの前記ＤＣＩを搬送し、
該第２のマッピング・モードが、サブフレームの有効領域に前記ターゲット物理リソースをマッピングするように構成され、該サブフレームの該有効領域が、該サブフレーム内のＣＲＳリソースを除いた時間／周波数領域である、
請求項１２に記載の方法。
【請求項１５】
前記基地局にデバイス能力情報をレポートするステップであって、前記基地局が、該デバイス能力情報に従って、前記ＭＴＣ  ＤＣＩを搬送するためのターゲット物理リソースを既定のＤＣＩ伝送領域にマッピングするように、該デバイス能力情報が、前記ターゲット・リソース領域から前記ＤＣＩをサーチする能力を前記ＭＴＣデバイスが有しているかどうかを示す、ステップ
をさらに含む、請求項１２に記載の方法。
【請求項１６】
ＭＴＣ  ＤＣＩを伝送するための装置であって、基地局にセットし、
ＭＴＣデバイスのために構成されたＤＣＩ伝送領域を判定すること、および制御リソース構成情報を生成して、該ＭＴＣデバイスに送ることを行うように構成された伝送領域判定モジュールと、
該ＤＣＩ伝送領域における該ＭＴＣデバイスの情報検出能力を判定するように構成された能力判定モジュールであって、該情報検出能力が、ターゲット・リソース領域からのＤＣＩのサーチを該ＭＴＣデバイスがサポートするかどうかを示し、該ターゲット・リソース領域が、元のＬＴＥシステムの制御領域である、能力判定モジュールと、
該情報検出能力および既定のリソース・マッピング・モードに従って、該ＤＣＩ伝送領域にターゲット物理リソースをマッピングするように構成されたリソース・マッピング・モジュールであって、該ターゲット物理リソースが、該ＭＴＣデバイスの該ＤＣＩを搬送する、リソース・マッピング・モジュールと、
該ＤＣＩ伝送領域にマッピングした該ターゲット物理リソースを通じて該ＭＴＣデバイスに該ＤＣＩを伝送するように構成された情報伝送モジュールと
を備える、装置。
【請求項１７】
前記制御領域が、
サブフレームの最初の３つのＯＦＤＭシンボルに対応する時間／周波数領域
を含む、請求項１６に記載の装置。
【請求項１８】
前記既定のリソース・マッピング・モードが、
前記元のＬＴＥシステムのデータ領域に前記ターゲット物理リソースをマッピングするように構成された第１のマッピング・モード、および／または
サブフレームの有効領域に前記ターゲット物理リソースをマッピングするように構成された第２のマッピング・モードであって、該サブフレームの該有効領域が、該サブフレーム内のセル参照信号リソースを除いた時間／周波数領域である、第２のマッピング・モード
を含む、請求項１６に記載の装置。
【請求項１９】
前記データ領域が、
サブフレームの最後の１１個のＯＦＤＭシンボルに対応する時間／周波数領域
を含む、請求項１８に記載の装置。
【請求項２０】
前記能力判定モジュールが、
各ＭＴＣデバイスによってレポートされたデバイス能力情報を取得するように構成された能力情報取得サブモジュールと、
該デバイス能力情報に従って、前記ＭＴＣデバイスの前記情報検出能力を判定するように構成された能力判定サブモジュールと
を備える、請求項１６に記載の装置。
【請求項２１】
前記デバイス能力情報が、
前記情報検出能力を示すための既定の指示値
を含み、
前記能力判定サブモジュールが、
該既定の指示値が第１の指示値である場合、前記ターゲット・リソース領域からの前記ＤＣＩのサーチを前記ＭＴＣデバイスがサポートすると判定するように構成された第１の能力判定ユニットと、
該既定の指示値が第２の指示値である場合、前記ターゲット・リソース領域からの前記ＤＣＩのサーチを前記ＭＴＣデバイスがサポートしないと判定するように構成された第２の能力判定ユニットと
を備える、
請求項２０に記載の装置。
【請求項２２】
前記リソース・マッピング・モジュールが、
前記ターゲット・リソース領域からの前記ＤＣＩのサーチを前記ＭＴＣデバイスがサポートしない場合、前記第１のマッピング・モードに従って、前記ＤＣＩ伝送領域に前記ターゲット物理リソースをマッピングすること
を行うように構成される、請求項１８に記載の装置。
【請求項２３】
前記リソース・マッピング・モジュールが、
前記ターゲット物理リソースのターゲット・リソース・マッピング・モードを決定し、リソース・マッピングを実施するように構成されたマッピング・モード決定サブモジュールであって、該ターゲット・リソース・マッピング・モードが、前記第１のマッピング・モードまたは前記第２のマッピング・モードである、マッピング・モード決定サブモジュールと、
該ターゲット・リソース・マッピング・モードに従って、物理リソース構成情報を生成するように構成された構成情報生成サブモジュールであって、該物理リソース構成情報が、前記ターゲット物理リソースのマッピング範囲を前記ＭＴＣデバイスに知らせる、構成情報生成サブモジュールと、
上層シグナリングを通じて前記ＭＴＣデバイスに該物理リソース構成情報を送るように構成された構成情報送付サブモジュールと
を備える、請求項１８に記載の装置。
【請求項２４】
前記リソース・マッピング・モジュールが、
前記ターゲット・リソース領域からの前記ＤＣＩのサーチを前記ＭＴＣデバイスがサポートする場合、ＣＣＥ集約レベルに従って、前記ＤＣＩ伝送領域に前記ターゲット物理リソースをマッピングすること
を行うように構成される、
請求項１８に記載の装置。
【請求項２５】
前記リソース・マッピング・モジュールが、
前記ＤＣＩ伝送領域のＣＣＥ集約レベルを判定するように構成された第１のＣＣＥ集約レベル判定サブモジュールと、
該ＣＣＥ集約レベルが、前記ＤＣＩ伝送領域によってサポートされるＣＣＥの最大値より小さい場合、前記第１のマッピング・モードに従って、前記ＤＣＩ伝送領域に前記ターゲット物理リソースをマッピングするように構成された第１のリソース・マッピング・サブモジュールと、
該ＣＣＥ集約レベルが、前記ＤＣＩ伝送領域によってサポートされるＣＣＥの該最大値に等しい場合、前記第２のマッピング・モードに従って、前記ＤＣＩ伝送領域に前記ターゲット物理リソースをマッピングするように構成された第２のリソース・マッピング・サブモジュールと
を備える、請求項２４に記載の装置。
【請求項２６】
前記ＤＣＩ伝送領域が、
異なるサイズのマッピング領域
を含み、
前記リソース・マッピング・モジュールが、
現在のマッピング領域のＣＣＥ集約レベルを判定するように構成された第２のＣＣＥ集約レベル判定サブモジュールと、
該現在のマッピング領域の該ＣＣＥ集約レベルが、該現在のマッピング領域によってサポートされるＣＣＥの最大値より小さい場合、前記第１のマッピング・モードに従って、該現在のマッピング領域に前記ターゲット物理リソースをマッピングするように構成された第３のリソース・マッピング・サブモジュールと、
該現在のマッピング領域の該ＣＣＥ集約レベルが、該現在のマッピング領域によってサポートされるＣＣＥの該最大値に等しい場合、前記第２のマッピング・モードに従って、該現在のマッピング領域に前記ターゲット物理リソースをマッピングするように構成された第４のリソース・マッピング・サブモジュールと
を備える、
請求項２４に記載の装置。
【請求項２７】
ＭＴＣ  ＤＣＩを伝送するための装置であって、ＭＴＣデバイスにセットし、該ＭＴＣデバイスが、ターゲット・リソース領域からのＤＣＩのサーチをサポートし、該ターゲット・リソース領域が、元のＬＴＥシステムの制御領域であり、該装置が、
基地局から制御リソース構成情報を取得すること、およびＤＣＩ伝送領域を判定することを行うように構成された伝送領域判定モジュールと、
既定の参照情報および該ＤＣＩ伝送領域に従って、ターゲット・サーチ領域を決定するように構成されたサーチ領域決定モジュールであって、該既定の参照情報が、ブラインド検出ＣＣＥ集約レベル、または該基地局によって送られた物理リソース構成情報を含む、サーチ領域決定モジュールと、
既定のブラインド検出ＣＣＥ集約レベルに従って、該ターゲット・サーチ領域からターゲットＤＣＩを検出するように構成されたＤＣＩ検出モジュールと
を備える、装置。
【請求項２８】
前記既定の参照情報が、前記ブラインド検出ＣＣＥ集約レベルを含む場合、前記サーチ領域決定モジュールが、
未検出領域のブラインド検出ＣＣＥ集約レベルを判定するように構成されたＣＣＥ集約レベル判定サブモジュールであって、該未検出領域が、前記ＤＣＩ伝送領域、または前記ＤＣＩ伝送領域のマッピング領域を含む、ＣＣＥ集約レベル判定サブモジュールと、
該ブラインド検出ＣＣＥ集約レベルが、該未検出領域によってサポートされるＣＣＥの最大値に等しい場合、該未検出領域全体のうちの有効領域を前記ターゲット・サーチ領域として決定するように構成された第１のサーチ領域決定サブモジュールであって、該有効領域が、ＣＲＳリソースを除いた該未検出領域全体のうちの１つの領域である、第１のサーチ領域決定サブモジュールと、
該ブラインド検出ＣＣＥ集約レベルが、該未検出領域によってサポートされるＣＣＥの該最大値より小さい場合、前記ターゲット・リソース領域を除いた該未検出領域を前記ターゲット・サーチ領域として決定するように構成された第２のサーチ領域決定サブモジュールと
を備える、請求項２７に記載の装置。
【請求項２９】
前記既定の参照情報が、前記基地局によって送られた前記物理リソース構成情報を含む場合、前記サーチ領域決定モジュールが、
前記物理リソース構成情報に従って、未検出領域の既定のリソース・マッピング・モードを決定するように構成されたリソース・マッピング・モード決定サブモジュールであって、該未検出領域が、前記ＤＣＩ伝送領域、または前記ＤＣＩ伝送領域のマッピング領域を含む、リソース・マッピング・モード決定サブモジュールと、
該既定のリソース・マッピング・モードが、第１のマッピング・モードである場合、前記ターゲット・リソース領域を除いた該未検出領域を前記ターゲット・サーチ領域として決定するように構成された第３のサーチ領域決定サブモジュールと、
該既定のリソース・マッピング・モードが、第２のマッピング・モードである場合、該未検出領域全体のうちの有効領域を前記ターゲット・サーチ領域として決定するように構成された第４のサーチ領域決定サブモジュールであって、該有効領域が、ＣＲＳリソースを除いた該未検出領域のうちの１つの領域である、第４のサーチ領域決定サブモジュールと
を備え、
該第１のマッピング・モードが、前記元のＬＴＥシステムのデータ領域にターゲット物理リソースをマッピングするように構成され、前記ターゲット物理リソースが、前記ＭＴＣデバイスの前記ＤＣＩを搬送し、
該第２のマッピング・モードが、サブフレームの有効領域に前記ターゲット物理リソースをマッピングするように構成され、該サブフレームの該有効領域が、該サブフレーム内のＣＲＳリソースを除いた時間／周波数領域である、
請求項２７に記載の装置。
【請求項３０】
前記基地局にデバイス能力情報をレポートするように構成されたデバイス能力レポート・モジュールであって、前記基地局が、該デバイス能力情報に従って、前記ＭＴＣ  ＤＣＩを搬送するためのターゲット物理リソースを既定のＤＣＩ伝送領域にマッピングするように、該デバイス能力情報が、前記ターゲット・リソース領域から前記ＤＣＩをサーチする能力を前記ＭＴＣデバイスが有しているかどうかを示す、デバイス能力レポート・モジュール
をさらに備える、請求項２７に記載の装置。
【請求項３１】
コンピュータ命令を記憶する非一時的コンピュータ可読記憶媒体であって、プロセッサによって実行されると、該命令が、請求項１から１１のいずれか一項に記載の方法を実行する、非一時的コンピュータ可読記憶媒体。
【請求項３２】
コンピュータ命令を記憶する非一時的コンピュータ可読記憶媒体であって、プロセッサによって実行されると、該命令が、請求項１２から１５のいずれか一項に記載の方法を実行する、非一時的コンピュータ可読記憶媒体。
【請求項３３】
プロセッサと、
該プロセッサによって実行可能な命令を記憶するためのメモリと
を備え、
該プロセッサが、
ＭＴＣデバイスのために構成されたＤＣＩ伝送領域を判定することと、
制御リソース構成情報を生成して、該ＭＴＣデバイスに送ることと、
該ＤＣＩ伝送領域における該ＭＴＣデバイスの情報検出能力を判定することであって、該情報検出能力が、ターゲット・リソース領域からのＤＣＩのサーチを該ＭＴＣデバイスがサポートするかどうかを示し、該ターゲット・リソース領域が、元のＬＴＥシステムの制御領域である、判定することと、
該情報検出能力および既定のリソース・マッピング・モードに従って、該ＤＣＩ伝送領域にターゲット物理リソースをマッピングすることであって、該ターゲット物理リソースが、該ＭＴＣデバイスの該ＤＣＩを搬送する、マッピングすることと、
該ＤＣＩ伝送領域にマッピングした該ターゲット物理リソースを通じて該ＭＴＣデバイスに該ＤＣＩを伝送することと
を行うように構成される、
基地局。
【請求項３４】
プロセッサと、
該プロセッサによって実行可能な命令を記憶するためのメモリと
を備え、
該プロセッサが、
基地局から制御リソース構成情報を取得することと、
ＤＣＩ伝送領域を判定することと、
既定の参照情報および該ＤＣＩ伝送領域に従って、ターゲット・サーチ領域を決定することであって、該既定の参照情報が、ブラインド検出ＣＣＥ集約レベル、または該基地局によって送られた物理リソース構成情報を含む、決定することと、
既定のブラインド検出ＣＣＥ集約レベルに従って、該ターゲット・サーチ領域からターゲットＤＣＩを検出することと
を行うように構成される、
ユーザ機器。
【発明の詳細な説明】
【技術分野】
【０００１】
本開示は、通信技術の分野に関し、詳細には、ＭＴＣダウンリンク制御情報を伝送するための方法および装置、基地局、ならびにユーザ機器に関する。
【背景技術】
【０００２】
ＭＴＣ（マシン・タイプ・コミュニケーション：Ｍａｃｈｉｎｅ  Ｔｙｐｅ  Ｃｏｍｍｕｎｉｃａｔｉｏｎ）は、人間の介入がないマシン間の通信を指す。ＭＴＣは、検針などのスマート・シティ、温度および湿度情報のコレクションなどのスマート農業、共有自転車などのスマート・トランスポーテーション、ならびに他の多くの分野において広く使用される。従来のＭＴＣ物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）は、４Ｇ  ＬＴＥ（ロング・ターム・エボリューション：Ｌｏｎｇ  Ｔｅｒｍ  Ｅｖｏｌｕｔｉｏｎ）周波数スペクトル内に配置され、周波数リソースおよびいくつかのチャネルをＬＴＥユーザと共有する。
【０００３】
特定の配置モードは、ＭＴＣサービスの狭帯域伝送特性を考慮して、ＬＴＥシステムでは、ＭＴＣシステムのためのＰＤＣＣＨリソースが、制御チャネル領域における最初の３個のＯＦＤＭシンボルに対応する領域にマッピングされず、ＣＲＳ（セル参照信号：ｃｅｌｌ  ｒｅｆｅｒｅｎｃｅ  ｓｉｇｎａｌ）によって占められた物理リソース位置にマッピングされないが、データ伝送を搬送するＰＤＳＣＨ（物理ダウンリンク共有チャネル：Ｐｈｙｓｉｃａｌ  Ｄｏｗｎｌｉｎｋ  Ｓｈａｒｅｄ  Ｃｈａｎｎｅｌ）リソース内に配置されるというものである。ＭＴＣシステムのためのＰＤＣＣＨリソースは、ＭＴＣシステムのダウンリンク制御情報（ＤＣＩ：ｄｏｗｎｌｉｎｋ  ｃｏｎｔｒｏｌ  ｉｎｆｏｒｍａｔｉｏｎ）を搬送するために使用することができる。
【発明の概要】
【発明が解決しようとする課題】
【０００４】
通信技術の発展とともに、モバイル通信ネットワークは、５Ｇ  ＮＲ（新無線：Ｎｅｗ  Ｒａｄｉｏ）ネットワークに徐々に進化しつつあり、ＬＴＥシステムは、モバイル・セルラー・ネットワークから徐々に撤退する可能性があり、その時、ＬＴＥシステムのスペクトル・リソースは、５Ｇ  ＮＲスペクトル・リソースに再利用される（ｒｅｃｕｌｔｉｖａｔｅｄ）ことになる。１０年以上になることもあるＭＴＣシステムの長いライフ・サイクルにより、ＭＴＣシステムは、ＬＴＥシステムがモバイル・セルラー・ネットワークから撤退した後でも、依然として存在する可能性があり、したがって、ＭＴＣシステムのための伝送リソースを独立して配置する必要がある。ＭＴＣシステムのためのＰＤＣＣＨリソースが、従来技術に従って依然として配置される場合、元のＬＴＥシステムにおける制御チャネル・リソースは稼働せず、リソースを浪費することになる。
【０００５】
従来技術に存在する問題を克服するために、本開示の実施形態は、ＭＴＣ  ＤＣＩを伝送するための方法および装置、基地局、ならびにユーザ機器を提供し、これにより、伝送リソースを効果的に利用し、ＭＴＣシステムにおけるＤＣＩの伝送効率を高める。
【課題を解決するための手段】
【０００６】
本開示の実施形態の第１の態様によれば、ＭＴＣ  ＤＣＩを伝送する方法を提供し、方法は、基地局に適用可能であり、方法は、
ＭＴＣデバイスのために構成されたＤＣＩ伝送領域を判定することと、制御リソース構成情報を生成して、ＭＴＣデバイスに送ることと、
ＤＣＩ伝送領域におけるＭＴＣデバイスの情報検出能力を判定することであって、情報検出能力が、ターゲット・リソース領域からのＤＣＩのサーチをＭＴＣデバイスがサポートするかどうかを示し、ターゲット・リソース領域が、元のＬＴＥシステムの制御領域である、判定することと、
情報検出能力および既定のリソース・マッピング・モードに従って、ＤＣＩ伝送領域にターゲット物理リソースをマッピングすることであって、ターゲット物理リソースが、ＭＴＣデバイスのＤＣＩを搬送する、マッピングすることと、
ＤＣＩ伝送領域にマッピングしたターゲット物理リソースを通じてＭＴＣデバイスにＤＣＩを伝送することと
を含む。
【０００７】
任意選択として、制御領域は、サブフレームの最初の３つのＯＦＤＭシンボルに対応する時間／周波数領域を含む。
【０００８】
任意選択として、既定のリソース・マッピング・モードは、
元のＬＴＥシステムのデータ領域にターゲット物理リソースをマッピングするように構成された第１のマッピング・モード、および／または
サブフレームの有効領域にターゲット物理リソースをマッピングするように構成された第２のマッピング・モードであって、サブフレームの有効領域が、サブフレーム内のセル参照信号リソースを除いた時間／周波数領域である、第２のマッピング・モード
を含む。
【０００９】
任意選択として、データ領域は、サブフレームの最後の１１個のＯＦＤＭシンボルに対応する時間／周波数領域を含む。
【００１０】
任意選択として、ＤＣＩ伝送領域におけるＭＴＣデバイスの情報検出能力を判定することは、
各ＭＴＣデバイスによってレポートされたデバイス能力情報を取得することと、
デバイス能力情報に従って、ＭＴＣデバイスの情報検出能力を判定することと
を含む。
【００１１】
任意選択として、デバイス能力情報は、情報検出能力を示すための既定の指示値を含み、
デバイス能力情報に従って、ＭＴＣデバイスの情報検出能力を判定することは、
既定の指示値が第１の指示値である場合、ターゲット・リソース領域からのＤＣＩのサーチをＭＴＣデバイスがサポートすると判定することと、
既定の指示値が第２の指示値である場合、ターゲット・リソース領域からのＤＣＩのサーチをＭＴＣデバイスがサポートしないと判定することと
を含む。
【００１２】
任意選択として、情報検出能力および既定のリソース・マッピング・モードに従って、ＤＣＩ伝送領域にターゲット物理リソースをマッピングすることは、
ターゲット・リソース領域からのＤＣＩのサーチをＭＴＣデバイスがサポートしない場合、第１のマッピング・モードに従って、ＤＣＩ伝送領域にターゲット物理リソースをマッピングすること
を含む。
【００１３】
任意選択として、情報検出能力および既定のリソース・マッピング・モードに従って、ＤＣＩ伝送領域にターゲット物理リソースをマッピングすることは、
ターゲット物理リソースのターゲット・リソース・マッピング・モードを決定し、リソース・マッピングを実施することであって、ターゲット・リソース・マッピング・モードが、第１のマッピング・モードまたは第２のマッピング・モードである、実施することと、
ターゲット・リソース・マッピング・モードに従って、物理リソース構成情報を生成することであって、物理リソース構成情報が、ターゲット物理リソースのマッピング範囲をＭＴＣデバイスに知らせる、生成することと、
上層シグナリング（ｈｉｇｈ−ｌａｙｅｒ  ｓｉｇｎａｌｉｎｇ）を通じてＭＴＣデバイスに物理リソース構成情報を送ることと
を含む。
【００１４】
任意選択として、情報検出能力および既定のリソース・マッピング・モードに従って、ＤＣＩ伝送領域にターゲット物理リソースをマッピングすることは、
ターゲット・リソース領域からのＤＣＩのサーチをＭＴＣデバイスがサポートする場合、制御チャネル要素（ＣＣＥ：ｃｏｎｔｒｏｌ  ｃｈａｎｎｅｌ  ｅｌｅｍｅｎｔ）集約レベルに従って、ＤＣＩ伝送領域にターゲット物理リソースをマッピングすること
を含む。
【００１５】
任意選択として、ＣＣＥ集約レベルに従って、ＤＣＩ伝送領域にターゲット物理リソースをマッピングすることは、
ＤＣＩ伝送領域のＣＣＥ集約レベルを判定することと、
ＣＣＥ集約レベルが、ＤＣＩ伝送領域によってサポートされるＣＣＥの最大値より小さい場合、第１のマッピング・モードに従って、ＤＣＩ伝送領域にターゲット物理リソースをマッピングすることと、
ＣＣＥ集約レベルが、ＤＣＩ伝送領域によってサポートされるＣＣＥの最大値に等しい場合、第２のマッピング・モードに従って、ＤＣＩ伝送領域にターゲット物理リソースをマッピングすることと
を含む。
【００１６】
任意選択として、ＤＣＩ伝送領域は、異なるサイズのマッピング領域を含み、
ＣＣＥ集約レベルに従って、ＤＣＩ伝送領域にターゲット物理リソースをマッピングすることは、
現在のマッピング領域のＣＣＥ集約レベルを判定することと、
現在のマッピング領域のＣＣＥ集約レベルが、現在のマッピング領域によってサポートされるＣＣＥの最大値より小さい場合、第１のマッピング・モードに従って、現在のマッピング領域にターゲット物理リソースをマッピングすることと、
現在のマッピング領域のＣＣＥ集約レベルが、現在のマッピング領域によってサポートされるＣＣＥの最大値に等しい場合、第２のマッピング・モードに従って、現在のマッピング領域にターゲット物理リソースをマッピングすることと
を含む。
【００１７】
本開示の実施形態の第２の態様によれば、ＭＴＣ  ＤＣＩを伝送する方法を提供し、方法は、ＭＴＣデバイスに適用可能である。ＭＴＣデバイスは、ターゲット・リソース領域からのＤＣＩのサーチをサポートし、ターゲット・リソース領域は、元のＬＴＥシステムの制御領域であり、方法は、
基地局から制御リソース構成情報を取得することと、ＤＣＩ伝送領域を判定することと、
既定の参照情報およびＤＣＩ伝送領域に従って、ターゲット・サーチ領域を決定することであって、既定の参照情報が、ブラインド検出ＣＣＥ集約レベル、または基地局によって送られた物理リソース構成情報を含む、決定することと、
既定のブラインド検出ＣＣＥ集約レベルに従って、ターゲット・サーチ領域からターゲットＤＣＩを検出することと
を含む。
【００１８】
任意選択として、既定の参照情報が、ブラインド検出ＣＣＥ集約レベルを含む場合、既定の参照情報およびＤＣＩ伝送領域に従って、ターゲット・サーチ領域を決定することは、
未検出領域のブラインド検出ＣＣＥ集約レベルを判定することであって、未検出領域が、ＤＣＩ伝送領域、またはＤＣＩ伝送領域のマッピング領域を含む、判定することと、
ブラインド検出ＣＣＥ集約レベルが、未検出領域によってサポートされるＣＣＥの最大値に等しい場合、未検出領域全体のうちの有効領域をターゲット・サーチ領域として決定することであって、有効領域が、セル参照信号（ＣＲＳ）リソースを除いた未検出領域全体のうちの１つの領域である、決定することと、
ブラインド検出ＣＣＥ集約レベルが、未検出領域によってサポートされるＣＣＥの最大値より小さい場合、ターゲット・リソース領域を除いた未検出領域をターゲット・サーチ領域として決定することと
を含む。
【００１９】
任意選択として、既定の参照情報が、基地局によって送られた物理リソース構成情報を含む場合、既定の参照情報およびＤＣＩ伝送領域に従って、ターゲット・サーチ領域を決定することは、
物理リソース構成情報に従って、未検出領域の既定のリソース・マッピング・モードを決定することであって、未検出領域が、ＤＣＩ伝送領域、またはＤＣＩ伝送領域のマッピング領域を含む、決定することと、
既定のリソース・マッピング・モードが、第１のマッピング・モードである場合、ターゲット・リソース領域を除いた未検出領域をターゲット・サーチ領域として決定することと、
既定のリソース・マッピング・モードが、第２のマッピング・モードである場合、未検出領域全体のうちの有効領域をターゲット・サーチ領域として決定することであって、有効領域が、ＣＲＳリソースを除いた未検出領域のうちの１つの領域である、決定することと
を含み、
第１のマッピング・モードが、元のＬＴＥシステムのデータ領域にターゲット物理リソースをマッピングするように構成され、ターゲット物理リソースが、ＭＴＣデバイスのＤＣＩを搬送し、
第２のマッピング・モードが、サブフレームの有効領域にターゲット物理リソースをマッピングするように構成され、サブフレームの有効領域が、サブフレーム内のＣＲＳリソースを除いた時間／周波数領域である。
【００２０】
任意選択として、方法は、
基地局にデバイス能力情報をレポートすることであって、基地局が、デバイス能力情報に従って、ＭＴＣ  ＤＣＩを搬送するためのターゲット物理リソースを既定のＤＣＩ伝送領域にマッピングするように、デバイス能力情報が、ターゲット・リソース領域からＤＣＩをサーチする能力をＭＴＣデバイスが有しているかどうかを示す、レポートすること
をさらに含む。
【００２１】
本開示の実施形態の第３の態様によれば、ＭＴＣ  ＤＣＩを伝送するための装置を提供し、装置は、基地局にセットされ、装置は、
ＭＴＣデバイスのために構成されたＤＣＩ伝送領域を判定し、制御リソース構成情報を生成して、ＭＴＣデバイスに送るように構成された伝送領域判定モジュールと、
ＤＣＩ伝送領域におけるＭＴＣデバイスの情報検出能力を判定するように構成された能力判定モジュールであって、情報検出能力が、ターゲット・リソース領域からのＤＣＩのサーチをＭＴＣデバイスがサポートするかどうかを示し、ターゲット・リソース領域が、元のＬＴＥシステムの制御領域である、能力判定モジュールと、
情報検出能力および既定のリソース・マッピング・モードに従って、ＤＣＩ伝送領域にターゲット物理リソースをマッピングするように構成されたリソース・マッピング・モジュールであって、ターゲット物理リソースが、ＭＴＣデバイスのＤＣＩを搬送する、リソース・マッピング・モジュールと、
ＤＣＩ伝送領域にマッピングしたターゲット物理リソースを通じてＭＴＣデバイスにＤＣＩを伝送するように構成された情報伝送モジュールと
を含む。
【００２２】
任意選択として、制御領域は、サブフレームの最初の３つのＯＦＤＭシンボルに対応する時間／周波数領域を含む。
【００２３】
任意選択として、既定のリソース・マッピング・モードは、
元のＬＴＥシステムのデータ領域にターゲット物理リソースをマッピングするように構成された第１のマッピング・モード、および／または
サブフレームの有効領域にターゲット物理リソースをマッピングするように構成された第２のマッピング・モードであって、サブフレームの有効領域が、サブフレーム内のセル参照信号リソースを除いた時間／周波数領域である、第２のマッピング・モード
を含む。
【００２４】
任意選択として、データ領域は、サブフレームの最後の１１個のＯＦＤＭシンボルに対応する時間／周波数領域を含む。
【００２５】
任意選択として、能力判定モジュールは、
各ＭＴＣデバイスによってレポートされたデバイス能力情報を取得するように構成された能力情報取得サブモジュールと、
デバイス能力情報に従って、ＭＴＣデバイスの情報検出能力を判定するように構成された能力判定サブモジュールと
を含む。
【００２６】
任意選択として、デバイス能力情報は、情報検出能力を示すための既定の指示値を含み、
能力判定サブモジュールは、
既定の指示値が第１の指示値である場合、ターゲット・リソース領域からのＤＣＩのサーチをＭＴＣデバイスがサポートすると判定するように構成された第１の能力判定ユニットと、
既定の指示値が第２の指示値である場合、ターゲット・リソース領域からのＤＣＩのサーチをＭＴＣデバイスがサポートしないと判定するように構成された第２の能力判定ユニットと
を含む。
【００２７】
任意選択として、リソース・マッピング・モジュールは、ターゲット・リソース領域からのＤＣＩのサーチをＭＴＣデバイスがサポートしない場合、第１のマッピング・モードに従って、ＤＣＩ伝送領域にターゲット物理リソースをマッピングすることを行うように構成される。
【００２８】
任意選択として、リソース・マッピング・モジュールは、
ターゲット物理リソースのターゲット・リソース・マッピング・モードを決定し、リソース・マッピングを実施するように構成されたマッピング・モード決定サブモジュールであって、ターゲット・リソース・マッピング・モードが、第１のマッピング・モードまたは第２のマッピング・モードである、マッピング・モード決定サブモジュールと、
ターゲット・リソース・マッピング・モードに従って、物理リソース構成情報を生成するように構成された構成情報生成サブモジュールであって、物理リソース構成情報が、ターゲット物理リソースのマッピング範囲をＭＴＣデバイスに知らせる、構成情報生成サブモジュールと、
上層シグナリングを通じてＭＴＣデバイスに物理リソース構成情報を送るように構成された構成情報送付サブモジュールと
を含む。
【００２９】
任意選択として、リソース・マッピング・モジュールは、ターゲット・リソース領域からのＤＣＩのサーチをＭＴＣデバイスがサポートする場合、ＣＣＥ集約レベルに従って、ＤＣＩ伝送領域にターゲット物理リソースをマッピングすることを行うように構成される。
【００３０】
任意選択として、リソース・マッピング・モジュールは、
ＤＣＩ伝送領域のＣＣＥ集約レベルを判定するように構成された第１のＣＣＥ集約レベル判定サブモジュールと、
ＣＣＥ集約レベルが、ＤＣＩ伝送領域によってサポートされるＣＣＥの最大値より小さい場合、第１のマッピング・モードに従って、ＤＣＩ伝送領域にターゲット物理リソースをマッピングするように構成された第１のリソース・マッピング・サブモジュールと、
ＣＣＥ集約レベルが、ＤＣＩ伝送領域によってサポートされるＣＣＥの最大値に等しい場合、第２のマッピング・モードに従って、ＤＣＩ伝送領域にターゲット物理リソースをマッピングするように構成された第２のリソース・マッピング・サブモジュールと
を含む。
【００３１】
任意選択として、ＤＣＩ伝送領域は、異なるサイズのマッピング領域を含み、
リソース・マッピング・モジュールは、
現在のマッピング領域のＣＣＥ集約レベルを判定するように構成された第２のＣＣＥ集約レベル判定サブモジュールと、
現在のマッピング領域のＣＣＥ集約レベルが、現在のマッピング領域によってサポートされるＣＣＥの最大値より小さい場合、第１のマッピング・モードに従って、現在のマッピング領域にターゲット物理リソースをマッピングするように構成された第３のリソース・マッピング・サブモジュールと、
現在のマッピング領域のＣＣＥ集約レベルが、現在のマッピング領域によってサポートされるＣＣＥの最大値に等しい場合、第２のマッピング・モードに従って、現在のマッピング領域にターゲット物理リソースをマッピングするように構成された第４のリソース・マッピング・サブモジュールと
を含む。
【００３２】
本開示の実施形態の第４の態様によれば、ＭＴＣ  ＤＣＩを伝送するための装置を提供し、装置は、ＭＴＣデバイスにセットされ、ＭＴＣデバイスは、ターゲット・リソース領域からのＤＣＩのサーチをサポートする。ターゲット・リソース領域は、元のＬＴＥシステムの制御領域であり、装置は、
基地局から制御リソース構成情報を取得すること、およびＤＣＩ伝送領域を判定することを行うように構成された伝送領域判定モジュールと、
既定の参照情報およびＤＣＩ伝送領域に従って、ターゲット・サーチ領域を決定するように構成されたサーチ領域決定モジュールであって、既定の参照情報が、ブラインド検出ＣＣＥ集約レベル、または基地局によって送られた物理リソース構成情報を含む、サーチ領域決定モジュールと、
既定のブラインド検出ＣＣＥ集約レベルに従って、ターゲット・サーチ領域からターゲットＤＣＩを検出するように構成されたＤＣＩ検出モジュールと
を含む。
【００３３】
任意選択として、既定の参照情報が、ブラインド検出ＣＣＥ集約レベルを含む場合、サーチ領域決定モジュールは、
未検出領域のブラインド検出ＣＣＥ集約レベルを判定するように構成されたＣＣＥ集約レベル判定サブモジュールであって、未検出領域が、ＤＣＩ伝送領域、またはＤＣＩ伝送領域のマッピング領域を含む、ＣＣＥ集約レベル判定サブモジュールと、
ブラインド検出ＣＣＥ集約レベルが、未検出領域によってサポートされるＣＣＥの最大値に等しい場合、未検出領域全体のうちの有効領域をターゲット・サーチ領域として決定するように構成された第１のサーチ領域決定サブモジュールであって、有効領域が、ＣＲＳリソースを除いた未検出領域全体のうちの１つの領域である、第１のサーチ領域決定サブモジュールと、
ブラインド検出ＣＣＥ集約レベルが、未検出領域によってサポートされるＣＣＥの最大値より小さい場合、ターゲット・リソース領域を除いた未検出領域をターゲット・サーチ領域として決定するように構成された第２のサーチ領域決定サブモジュールと
を含む。
【００３４】
任意選択として、既定の参照情報が、基地局によって送られた物理リソース構成情報を含む場合、サーチ領域決定モジュールは、
物理リソース構成情報に従って、未検出領域の既定のリソース・マッピング・モードを決定するように構成されたリソース・マッピング・モード決定サブモジュールであって、未検出領域が、ＤＣＩ伝送領域、またはＤＣＩ伝送領域のマッピング領域を含む、リソース・マッピング・モード決定サブモジュールと、
既定のリソース・マッピング・モードが、第１のマッピング・モードである場合、ターゲット・リソース領域を除いた未検出領域をターゲット・サーチ領域として決定するように構成された第３のサーチ領域決定サブモジュールと、
既定のリソース・マッピング・モードが、第２のマッピング・モードである場合、未検出領域全体のうちの有効領域をターゲット・サーチ領域として決定するように構成された第４のサーチ領域決定サブモジュールであって、有効領域が、ＣＲＳリソースを除いた未検出領域のうちの１つの領域である、第４のサーチ領域決定サブモジュールと
を含み、
第１のマッピング・モードが、元のＬＴＥシステムのデータ領域にターゲット物理リソースをマッピングするように構成され、ターゲット物理リソースが、ＭＴＣデバイスのＤＣＩを搬送し、
第２のマッピング・モードが、サブフレームの有効領域にターゲット物理リソースをマッピングするように構成され、サブフレームの有効領域が、サブフレーム内のＣＲＳリソースを除いた時間／周波数領域である。
【００３５】
任意選択として、装置は、
基地局にデバイス能力情報をレポートするように構成されたデバイス能力レポート・モジュールであって、基地局が、デバイス能力情報に従って、ＭＴＣ  ＤＣＩを搬送するためのターゲット物理リソースを既定のＤＣＩ伝送領域にマッピングするように、デバイス能力情報が、ターゲット・リソース領域からＤＣＩをサーチする能力をＭＴＣデバイスが有しているかどうかを示す、デバイス能力レポート・モジュール
をさらに含む。
【００３６】
本開示の実施形態の第５の態様によれば、非一時的コンピュータ可読記憶媒体を提供し、記憶媒体は、プロセッサによって実行されると、第１の態様で説明した方法のいずれかのステップを実行するコンピュータ命令を記憶する。
【００３７】
本開示の実施形態の第６の態様によれば、非一時的コンピュータ可読記憶媒体を提供し、記憶媒体は、プロセッサによって実行されると、第２の態様で説明した方法のいずれかのステップを実行するコンピュータ命令を記憶する。
【００３８】
本開示の実施形態の第７の態様によれば、基地局を提供し、基地局は、
プロセッサと、
プロセッサによって実行可能な命令を記憶するためのメモリと
を含み、
プロセッサは、
ＭＴＣデバイスのために構成されたＤＣＩ伝送領域を判定することと、制御リソース構成情報を生成して、ＭＴＣデバイスに送ることと、
ＤＣＩ伝送領域におけるＭＴＣデバイスの情報検出能力を判定することであって、情報検出能力が、ターゲット・リソース領域からのＤＣＩのサーチをＭＴＣデバイスがサポートするかどうかを示し、ターゲット・リソース領域が、元のＬＴＥシステムの制御領域である、判定することと、
情報検出能力および既定のリソース・マッピング・モードに従って、ＤＣＩ伝送領域にターゲット物理リソースをマッピングすることであって、ターゲット物理リソースが、ＭＴＣデバイスのＤＣＩを搬送する、マッピングすることと、
ＤＣＩ伝送領域にマッピングしたターゲット物理リソースを通じてＭＴＣデバイスにＤＣＩを伝送することと
を行うように構成される。
【００３９】
本開示の実施形態の第８の態様によれば、ユーザ機器を提供し、ユーザ機器は、
プロセッサと、
プロセッサによって実行可能な命令を記憶するためのメモリと
を含み、
プロセッサは、
基地局から制御リソース構成情報を取得することと、ＤＣＩ伝送領域を判定することと、
既定の参照情報およびＤＣＩ伝送領域に従って、ターゲット・サーチ領域を決定することであって、既定の参照情報が、ブラインド検出ＣＣＥ集約レベル、または基地局によって送られた物理リソース構成情報を含む、決定することと、
既定のブラインド検出ＣＣＥ集約レベルに従って、ターゲット・サーチ領域からターゲットＤＣＩを検出することと
を行うように構成される。
【００４０】
本開示の実施形態によって提供される技術的解決策は、以下の有益な効果を含むことができる。
【００４１】
本開示によって提供されるＭＴＣ  ＤＣＩを伝送する方法によれば、基地局が、ＭＴＣデバイスのための物理ダウンリンク制御チャネル・リソースを独立して配置するとき、ターゲット・リソース領域、すなわち、元のＬＴＥシステムの制御領域からの独自のＤＣＩのサーチをＭＴＣデバイスがサポートする場合、基地局は、ＭＴＣデバイスのＤＣＩを搬送するために、ターゲット物理リソース、すなわち、ＭＰＤＣＣＨリソースをターゲット・リソース領域にマッピングすることができ、このことにより、ＭＰＤＣＣＨリソース・マッピングを強化し、システム・リソースを効果的に使用し、ＭＴＣデバイスのＤＣＩの伝送効率を改善する。
【００４２】
上記の全体的な説明および以下の詳細な説明は、例示的かつ説明的なものにすぎず、本開示を限定するものではないということが理解されよう。
【００４３】
添付の図面は、本明細書の一部に組み込まれ本明細書の一部を構成し、本明細書と一致した例を示し、本説明とともに、本開示の原理を説明するのに役立つ。
【図面の簡単な説明】
【００４４】
【図１】本開示の１つの実施形態による２つのＰＲＢペアのリソース・マッピングを示す概略図である。
【図２】本開示の１つの実施形態によるＭＴＣ  ＤＣＩを伝送する方法を示すフローチャートである。
【図３】本開示の１つの実施形態によるＭＴＣ  ＤＣＩを伝送する別の方法を示すフローチャートである。
【図４−１−４−３】本開示の１つの実施形態によるＭＴＣ  ＤＣＩを伝送するための応用シナリオを示す概略図である。
【図５】本開示の１つの実施形態によるＭＴＣ  ＤＣＩを伝送する別の方法を示すフローチャートである。
【図６】本開示の１つの実施形態によるＭＴＣ  ＤＣＩを伝送する別の方法を示すフローチャートである。
【図７】本開示の１つの実施形態によるＭＴＣ  ＤＣＩを伝送する別の方法を示すフローチャートである。
【図８−１−８−４】本開示の１つの実施形態によるＭＴＣ  ＤＣＩを伝送するための応用シナリオを示す概略図である。
【図９】本開示の１つの実施形態によるＭＴＣ  ＤＣＩを伝送する方法を示すフローチャートである。
【図１０】本開示の１つの実施形態によるＭＴＣ  ＤＣＩを伝送する別の方法を示すフローチャートである。
【図１１】本開示の１つの実施形態によるＭＴＣ  ＤＣＩを伝送する別の方法を示すフローチャートである。
【図１２】本開示の１つの実施形態によるＭＴＣ  ＤＣＩを伝送する別の方法を示すフローチャートである。
【図１３】本開示の１つの実施形態によるＭＴＣ  ＤＣＩを伝送するための装置を示すブロック図である。
【図１４】本開示の１つの実施形態によるＭＴＣ  ＤＣＩを伝送するための別の装置を示すブロック図である。
【図１５】本開示の１つの実施形態によるＭＴＣ  ＤＣＩを伝送するための別の装置を示すブロック図である。
【図１６】本開示の１つの実施形態によるＭＴＣ  ＤＣＩを伝送するための別の装置を示すブロック図である。
【図１７】本開示の１つの実施形態によるＭＴＣ  ＤＣＩを伝送するための別の装置を示すブロック図である。
【図１８】本開示の１つの実施形態によるＭＴＣ  ＤＣＩを伝送するための別の装置を示すブロック図である。
【図１９】本開示の１つの実施形態によるＭＴＣ  ＤＣＩを伝送するための装置を示すブロック図である。
【図２０】本開示の１つの実施形態によるＭＴＣ  ＤＣＩを伝送するための別の装置を示すブロック図である。
【図２１】本開示の１つの実施形態によるＭＴＣ  ＤＣＩを伝送するための別の装置を示すブロック図である。
【図２２】本開示の１つの実施形態によるＭＴＣ  ＤＣＩを伝送するための別の装置を示すブロック図である。
【図２３】本開示の１つの実施形態による基地局を示す概略構造図である。
【図２４】本開示の１つの実施形態によるユーザ機器を示す概略構造図である。
【発明を実施するための形態】
【００４５】
本明細書で実施形態を詳細に説明し、その例証を図面に表す。以下の説明が図面を伴うとき、異なる図面における同様の数字は、別段の指示がない限り、同様または類似の要素を指す。以下の例において説明する実施形態は、本開示と一致した全ての実施形態を表すわけではない。むしろ、実施形態は、添付の請求の範囲において詳しく述べるような、本開示のいくつかの態様と一致した装置および方法の例にすぎない。
【００４６】
本開示の実施に関する主題は、５Ｇネットワークにおける基地局およびユーザ機器（ＵＥ：ｕｓｅｒ  ｅｑｕｉｐｍｅｎｔ）を含む。基地局は、大規模なアンテナアレイを有する基地局、大規模なアンテナアレイを有するサブ基地局、等であってもよい。ＵＥは、ユーザ端末、ユーザ・ノード、モバイル端末、タブレット型コンピュータ、または同様のものなどのＭＴＣデバイスであってもよい。特定の実装形態の処理では、基地局およびユーザ機器は互いに独立しており、本開示によって提供される技術的解決策をともに実現するために互いに通信する。
【００４７】
本開示の応用シナリオは、ＭＴＣシステムは、元の４Ｇ  ＬＴＥシステムに取り付けられることなく独立して配置されるというものである。例えば、元の４Ｇ  ＬＴＥシステムのスペクトル・リソースは、５Ｇ  ＮＲシステムのスペクトル・リソースとして再利用される。元のＬＴＥシステムでは、ＭＴＣデバイスは、スペクトル・リソースおよびチャネルをＬＴＥユーザと共有するためのものである。ＭＴＣサービスの狭帯域伝送特性により、ＭＴＣデバイスのためのＰＤＣＣＨリソース、すなわち、ＭＰＤＣＣＨリソースは、ＬＴＥシステムによって、制御領域、すなわち、サブフレームの最初の３つのＯＦＤＭシンボルに対応する時間／周波数領域に配置されない。むしろ、ＬＴＥシステムは、データ領域、すなわち、サブフレームの最後の１１個のＯＦＤＭシンボルに対応する時間／周波数領域に、ＭＴＣデバイスのためのＭＰＤＣＣＨリソースを配置する。ＬＴＥシステムがモバイル・セルラー・ネットワークから撤退した後、元のＬＴＥシステムの制御領域、すなわち、サブフレームの最初の３つのＯＦＤＭシンボルに対応する時間／周波数領域は空くことになり、ブランク・リソースになる。図１に示したＰＲＢ（物理リソース・ブロック：Ｐｈｙｓｉｃａｌ  Ｒｅｓｏｕｒｃｅ  Ｂｌｏｃｋ）の２つのリソース・マッピング図を参照すると、左の図は、ＬＴＥシステムにおける２つのＰＲＢペアのリソース・マッピングを示す概略図であり、右の図は、５Ｇ  ＮＲシステムにおける２つのＰＲＢペアのリソース・マッピングを示す概略図である。
【００４８】
このことに基づき、本開示は、ＭＴＣ  ＤＣＩを伝送する方法を提供する。基地局が、ＭＴＣデバイスのためのＭＰＤＣＣＨリソースを独立して配置するとき、元のＬＴＥ制御領域のリソースを使用して、ＭＴＣデバイスのダウンリンク制御情報（ＤＣＩ）を伝送することができ、このことにより、ＭＴＣ  ＤＣＩの伝送効率を改善する。
【００４９】
図２を参照すると、図２は、１つの実施形態によるＭＴＣ  ＤＣＩを伝送する方法を示すフローチャートである。方法は基地局に適用可能であり、方法は、以下のステップを含むことができる。
【００５０】
ステップ１１では、ＭＴＣデバイスのために構成されたＤＣＩ伝送領域を判定し、制御リソース構成情報を生成して、ＭＴＣデバイスに送る。
【００５１】
５Ｇ  ＮＲシステムでは、ＭＴＣデバイスの狭帯域伝送特性を考慮して、基地局は、２つのＰＲＢペア、４つのＰＲＢペア、または６つのＰＲＢペアに対応する時間／周波数リソースをＭＴＣデバイスのＤＣＩ伝送領域として決定することができる。ＰＲＢの時間／周波数範囲は、１つのスロットが７つのＯＦＤＭシンボルに等しい場合の時間ドメインにおけるタイムスロット、すなわち、０．５ｍｓ、および、周波数ドメインにおける１２個の連続的なサブキャリアであり、サブキャリアの周波数間隔が１５ＫＨｚである場合、ＰＲＢの周波数範囲は１８０ＫＨｚである。ＰＲＢペアは、時間ドメインにおける２つのスロット、すなわち、１ｍｓを占め、周波数ドメインにおける１２個のサブキャリアを含む。
【００５２】
本開示では、基地局は、ダウンリンク・チャネル条件に従って、ＭＴＣデバイスのための、２つのＰＲＢペアなどの既定のサイズでＤＣＩ伝送領域を構成する。ＤＣＩ伝送領域は、１つのＭＴＣデバイスのＤＣＩを搬送するように構成することができるか、または、複数のＭＴＣデバイスのＤＣＩを搬送するように構成することができる。
【００５３】
ＭＴＣデバイスのためのＤＣＩ伝送領域を構成した後、基地局は、制御リソース構成情報を生成して、ＭＴＣデバイスに制御リソース構成情報を送って、ＭＴＣデバイス自体に属するＤＣＩをどの時間／周波数領域から検出するべきかをＭＴＣデバイスに知らせる。
【００５４】
ステップ１２では、ＤＣＩ伝送領域におけるＭＴＣデバイスの情報検出能力を判定する。
【００５５】
ＭＴＣデバイスの情報検出能力は、ターゲット・リソース領域からのＤＣＩのサーチをＭＴＣデバイスがサポートするかどうかを示す。ターゲット・リソース領域は、元のＬＴＥシステムの制御領域を指し、一般には、図１に示したような、サブフレーム内の最初の３つのＯＦＤＭシンボルに対応する時間／周波数領域を指す。
【００５６】
本開示は、ＭＴＣデバイスのうちの２つのタイプに関する。ＭＴＣデバイスのうちの１つのタイプは、ターゲット・リソース領域からのＤＣＩのサーチをサポートせず、本開示では第１のＭＴＣデバイスと呼ばれることがある。第１のＭＴＣデバイスは、既存のＲｅｌ．１３からＲｅｌ．１５ユーザなど、元のＬＴＥシステムの伝送プロトコルを使用するＭＴＣデバイスであってもよい。ＭＴＣデバイスのうちのもう１つのタイプは、ターゲット・リソース領域からのＤＣＩのサーチをサポートし、本開示では第２のＭＴＣデバイスと呼ばれることがある。
【００５７】
本開示では、既定のＤＣＩ伝送領域でどのＭＴＣデバイスを構成するかを基地局が決定するとき、２つの状況を含むことができる。
【００５８】
第１の状況では、基地局は、ランダム・スケジューリングによって、ＭＴＣデバイスのための既定のＤＣＩ伝送領域を割り当てる。上記の２つのＰＲＢペアを例とすると、対応するＭＴＣデバイスは、ＵＥ１、ＵＥ２、およびＵＥ３を含み、基地局は、これらのＭＴＣデバイスのそれぞれが、ＭＴＣデバイスのどのタイプに属するかを前もって判定しないと仮定する。
【００５９】
第２の状況では、基地局をターゲットにして、ターゲットにしたスケジューリングによって、同じタイプのＭＴＣデバイスに、既定のＤＣＩ伝送領域を割り当てる。例えば、２つのＰＲＢペアにスケジュールしたＵＥは、第２のＭＴＣデバイスに全て属する。
【００６０】
上記の第１の状況について、ＭＴＣデバイスのためのＭＰＤＣＣＨリソースをＤＣＩ伝送領域にマッピングする前に、基地局は、最初に、ＭＰＤＣＣＨリソースをどのようにマッピングするかを後で決定するために、各ＭＴＣデバイスの情報検出能力を監視することができる。
【００６１】
１つの実施形態では、基地局は、取得したオペレータ関連情報、および、デバイス・カテゴリなどの各ＭＴＣデバイスのデバイス情報に従って、各ＭＴＣデバイスの情報検出能力を判定することができる。
【００６２】
別の実施形態では、基地局は、ＵＥによってレポートされたデバイス能力情報を通じて、各ＭＴＣデバイスの情報検出能力を同様に判定することができる。図３を参照すると、図３は、１つの実施形態によるＭＴＣ  ＤＣＩを伝送するための別の方法を示すフローチャートである。上記のステップ１２は、以下を含むことができる。
【００６３】
ステップ１２１では、各ＭＴＣデバイスによってレポートされたデバイス能力情報を取得する。
【００６４】
本開示では、基地局は、セル・ネットワークにアクセスしたＭＴＣデバイスに、デバイス能力情報をレポートするようにリクエストすることができ、すなわち、ＭＴＣデバイスは、デバイス能力情報を受動的にレポートする。代替として、ＭＴＣデバイスは、基地局によってカバーされるセル・ネットワークにアクセスしたときなど、既定のトリガ条件で、基地局にデバイス能力情報を能動的にレポートすることもできる。デバイス能力情報は、ＭＴＣデバイスの情報検出能力を示す情報を少なくとも含む。
【００６５】
ステップ１２２では、デバイス能力情報に従って、ＭＴＣデバイスの情報検出能力を判定する。
【００６６】
本開示の１つの実施形態では、デバイス能力情報は、情報検出能力を示すための既定の指示値を含むことができる。したがって、ステップ１２２は、特に、既定の指示値に従って、ＭＴＣデバイスの情報検出能力を判定することになる。
【００６７】
１つの実施形態では、ＭＴＣデバイスが第１のＭＴＣデバイスに属することを第１の既定の値が示すことができ、ＭＴＣデバイスが第２のＭＴＣデバイスに属することを第２の既定の値が示すことができる。
【００６８】
デバイス能力情報を搬送する指名したフィールド内の１つのビットを使用して、ＭＴＣデバイスの情報検出能力を示す情報を運ぶことをプロトコルが示すと仮定する。第１の既定の値は０であってもよく、第２の既定の値は１であってもよい。
【００６９】
次に、ステップ１２２の特定の実装形態の処理は次のようなものであり、ＵＥ１などのＭＴＣデバイスによってレポートされたデバイス能力情報において、既定のビットが０にセットされていることを基地局が検出した場合、基地局は、ターゲット・リソース領域からのＤＣＩのサーチをＵＥ１がサポートしないと判定する、すなわち、基地局は、ＵＥ１が第１のＭＴＣデバイスに属すると判定する。逆に、既定のビットが１にセットされていることを基地局が検出した場合、基地局は、ターゲット・リソース領域からのＤＣＩのサーチをＵＥ１がサポートすると判定する、すなわち、基地局は、ＵＥ１が第２のＭＴＣデバイスに属すると判定する。
【００７０】
上記の第２の状況について、ＤＣＩ伝送領域を構成するとき、基地局は、ターゲットにした手法で、同じタイプのＭＴＣデバイスをスケジュールしており、これにより、ＤＣＩ伝送領域における各ＭＴＣデバイスの情報検出能力を直接的に判定することができる。
【００７１】
ステップ１３では、情報検出能力および既定のリソース・マッピング・モードに従って、ＤＣＩ伝送領域にターゲット物理リソースをマッピングし、ここで、ターゲット物理リソースは、ＭＴＣデバイスのＤＣＩを搬送する。
【００７２】
本開示では、ターゲット物理リソースは、ＭＴＣデバイスのＤＣＩを搬送するために使用されるＭＰＤＣＣＨリソースである。
【００７３】
ＤＣＩ伝送領域におけるＭＴＣデバイスの異なる情報検出能力に従って、基地局は、以下の２つのマッピング・モードを使用して、ＤＣＩ伝送領域にＭＰＤＣＣＨリソースをマッピングすることができる。
【００７４】
第１のマッピング・モードは、元のＬＴＥシステムと一致しており、元のＬＴＥシステムのデータ領域にＭＰＤＣＣＨリソースをマッピングするためのものであり、すなわち、サブフレームの最後の１１個のＯＦＤＭシンボルに対応する時間／周波数領域に、ＭＰＤＣＣＨリソースをマッピングする。例えば、図１の左側に示したブランク・セルに、ＭＰＤＣＣＨリソースをマッピングする。
【００７５】
第２のマッピング・モードは、サブフレームの有効領域にＭＰＤＣＣＨリソースをマッピングするためのものであり、ここで、有効領域は、ＣＲＳ（セル参照信号）リソース以外のサブフレーム内の領域を指し、有効領域は、元のＬＴＥシステムの最初の３つのＯＦＤＭシンボルに対応する時間／周波数領域を含む。図１に示したように、図１の右側に示したブランク・セルにＭＰＤＣＣＨリソースをマッピングする。
【００７６】
本開示では、基地局は、元のＬＴＥシステムを参照しながらＤＣＩ伝送領域にＣＲＳリソースをマッピングすることができ、図１におけるＣＲＳポート２／３およびＣＲＳポート０／１の配置を参照されたい。
【００７７】
ＭＰＤＣＣＨリソース、すなわち、ターゲット物理リソースのマッピングについて、ステップ１３の実装形態は、２つのケースを含むことができる。
【００７８】
ケース１：ＤＣＩ伝送領域における少なくとも１つのＭＴＣデバイスによって、ターゲット・リソース領域からのＤＣＩのサーチがサポートされない、すなわち、ＤＣＩ伝送領域内に少なくとも１つの第１のＭＴＣデバイスがある。
【００７９】
この場合、基地局は、第１のマッピング・モードに従って、ＤＣＩ伝送領域にＭＰＤＣＣＨリソースをマッピングする。
【００８０】
例えば、ＤＣＩ伝送領域が２つのＰＲＢペアを含むと仮定すると、基地局は、図４−１に示したように、第１のマッピング・モードに従って、サブフレームの最後の１１個のＯＦＤＭシンボルに対応する時間／周波数領域にＭＰＤＣＣＨリソースをマッピングする。
【００８１】
ケース２：ＤＣＩ伝送領域における全てのＭＴＣデバイスによって、ターゲット・リソース領域からのＤＣＩのサーチがサポートされる、すなわち、ＤＣＩ伝送領域におけるＭＴＣデバイスは、第２のＭＴＣデバイスに全て属する。
【００８２】
この場合、基地局は、以下の少なくとも２つのアプローチを使用して、ＤＣＩ伝送領域にＭＰＤＣＣＨリソースをマッピングすることができる。
【００８３】
アプローチ１：基地局は、どのマッピング・モードを使用して、ＤＣＩ伝送領域にＭＰＤＣＣＨリソースをマッピングするべきかを自律的に判定する。
【００８４】
図５を参照すると、図５は、１つの実施形態によるＭＴＣ  ＤＣＩを伝送する別の方法を示すフローチャートであり、ステップ１３は、以下を含むことができる。
【００８５】
ステップ１３０１では、ターゲット物理リソースのターゲット・リソース・マッピング・モードを決定し、リソース・マッピングを実施する。
【００８６】
本開示の実施形態では、ＤＣＩ伝送領域における全てのＵＥが第２のＭＴＣデバイスに属すると基地局が判定したとき、基地局は、構成の柔軟性、スケジューリングの柔軟性、等などの要件に従って、第１のマッピング・モードを使用するべきか、第２のマッピング・モードを使用するべきかを判定することができる。また、ターゲット・リソース・マッピング・モードに従って、基地局は、ＤＣＩ伝送領域にターゲット物理リソース、すなわち、ＭＰＤＣＣＨリソースをマッピングする。
【００８７】
ステップ１３０２では、ターゲット・リソース・マッピング・モードに従って、物理リソース構成情報を生成し、ここで、物理リソース構成情報は、ターゲット物理リソースのマッピング範囲をＭＴＣデバイスに知らせる。
【００８８】
本開示の実施形態では、基地局が、基地局自体が決定したターゲット・リソース・マッピング・モードに従って、ＤＣＩ伝送領域にＭＰＤＣＣＨリソースをマッピングした後、基地局は、同様に、ＭＰＤＣＣＨリソースのマッピング範囲をＤＣＩ伝送領域におけるＭＴＣデバイスに知らせるように、ターゲット・リソース・マッピング・モードに従って、物理リソース構成情報を生成することができる。
【００８９】
１つの実施形態では、物理リソース構成情報は、第１のマッピング・モードなどのターゲット・リソース・マッピング・モードを含むことができる。
【００９０】
本開示の別の実施形態では、物理リソース構成情報は、最後の１１個のＯＦＤＭシンボルなど、特定のＭＰＤＣＣＨリソースのマッピング範囲も含むことができる。
【００９１】
ステップ１３０３では、上層シグナリングを通じてＭＴＣデバイスに物理リソース構成情報を送る。
【００９２】
本開示では、基地局は、各ＭＴＣデバイスが、ＤＣＩをブラインド検出するとき、ターゲット・サーチ領域を正確に探せるように、上層シグナリングを通じてＤＣＩ伝送領域における各ＭＴＣデバイスに物理リソース構成情報を送ることができる。
【００９３】
上層シグナリングは、ＲＲＣ（無線リソース制御：Ｒａｄｉｏ  Ｒｅｓｏｕｒｃｅ  Ｃｏｎｔｒｏｌ）シグナリング、およびＭＡＣ（媒体アクセス制御：Ｍｅｄｉｕｍ  Ａｃｃｅｓｓ  Ｃｏｎｔｒｏｌ）ＣＥ（制御要素：Ｃｏｎｔｒｏｌ  Ｅｌｅｍｅｎｔ）シグナリングを含むことができる。
【００９４】
本開示の実施形態では、ＤＣＩ伝送領域における各ＭＴＣデバイスが、ターゲット・リソース領域からのＤＣＩのサーチをサポートすると基地局が判定する上記のケース２について、基地局は、セルのダウンリンク・チャネル条件に基づいて、ＭＰＤＣＣＨリソース・マッピングのためにどのリソース・マッピング・モードを使用するべきかを自律的に判定することができ、リソースの配置後、基地局は、ＭＴＣデバイスが、ＭＴＣデバイス自体に属するＤＣＩをブラインド検出するとき、物理リソース構成情報に従って、ターゲット・サーチ領域を正確に探せるように、物理リソース構成情報を生成して、ＭＴＣデバイスに送ることができ、これにより、ＤＣＩの検出効率を改善する。
【００９５】
アプローチ２：基地局は、ＣＣＥ（制御チャネル要素）集約レベルに従って、どの既定のマッピング・モードを使用して、ＤＣＩ伝送領域にＭＰＤＣＣＨリソースをマッピングするかを決定する。
【００９６】
本開示では、ＭＴＣデバイスのＤＣＩを搬送するために使用される基本要素もＣＣＥであってもよく、各ＣＣＥは、既定の数のＲＥＧ（リソース・エレメント・グループ：Ｒｅｓｏｕｒｃｅ  Ｅｌｅｍｅｎｔ  Ｇｒｏｕｐ）を含む。１つのＰＲＢペアが、４つまでのＣＣＥをサポートすることができ、１つのＭＴＣデバイスのＤＣＩベアラ・リソースが、ＤＣＩ伝送領域全体にわたって散ばり、マッピングされる。例えば、ＵＥ１などのＭＴＣデバイスのＤＣＩを集中的にＣＣＥにロードする場合、ＤＣＩは、２つのＣＣＥを占めることができ、すなわち、ＵＥ１のために構成されたＤＣＩは、２のＣＣＥ集約レベルを有する。ＭＴＣデバイスのＤＣＩは、２つのＣＣＥの集約レベルを有するが、ＵＥ１のＤＣＩは、実際のリソースの配置の中で、ＤＣＩ伝送領域全体に拡散されることになる。
【００９７】
ＬＴＥシステムにおけるＰＤＣＣＨ伝送と同様に、ＭＰＤＣＣＨ伝送は、異なるチャネル品質に一致するように、異なるＣＣＥ集約レベルもサポートする。また、同じＤＣＩ伝送領域が、異なるカバレッジ拡張モードで異なるＣＣＥ集約レベルをサポートすることができる。上述のように、本開示では、基地局がＭＴＣデバイスのために構成することができるＤＣＩ伝送領域は、２つのＰＲＢペア、４つのＰＲＢペア、および６つのＰＲＢペアを含むことができる。ＭＴＣデバイスのために基地局によって構成されたＤＣＩ伝送領域が、６つのＰＲＢペアであるとき、リソース利用効率を改善するために、６つのＰＲＢペアは、２つのＰＲＢペアのマッピング領域と４つのＰＲＢペアのマッピング領域という２つのマッピング領域に分割することができる。異なるＤＣＩ伝送領域でサポートすることができるＣＣＥ集約レベルをテーブル１に示す。
【表１】
2021527359.tif 000003
ここで、テーブル１における２つのＰＲＢのセットは、６つのＰＲＢペア領域に含まれる２つのＰＲＢペアのマッピング領域を表し、同様に、テーブル１における４つのＰＲＢのセットは、６つのＰＲＢペア領域に含まれる４つのＰＲＢペアのマッピング領域を表す。
【００９８】
ＤＣＩ伝送領域が６つのＰＲＢペアであるときだけ、マッピング領域の概念を含むことができるということにここで留意されたい。
【００９９】
基地局がＤＣＩ伝送領域に対してＣＣＥ集約レベルを構成するとき、基地局は、ＤＣＩ伝送領域全体に対して１つのＣＣＥ集約レベルを構成することができ、または基地局は、伝送領域の大きさに応じて、ＤＣＩ伝送領域の異なるマッピング領域に対して異なるＣＣＥ集約レベルを構成することができるということがわかる。
【０１００】
基地局がＤＣＩ伝送領域全体に対して１つのＣＣＥ集約レベルを構成するケースについて、図６を参照すると、図６は、１つの実施形態によるＭＴＣ  ＤＣＩを伝送する別の方法を示すフローチャートであり、ステップ１３は、以下を含むことができる。
【０１０１】
ステップ１３１１では、ＤＣＩ伝送領域のＣＣＥ集約レベルを判定する。
【０１０２】
本開示では、ＤＣＩ伝送領域を判定した後、基地局は、ダウンリンク・チャネル条件に従って、ＤＣＩ伝送領域に対応するＣＣＥ集約レベルを構成することができる。
【０１０３】
ＣＣＥ集約レベルを構成するためのルールは、ダウンリンク・チャネル条件が良い場合、リソースが無駄にならないように、低い方のＣＣＥ集約レベルを構成することができ、ダウンリンク・チャネル条件が悪い場合、ＤＣＩ伝送の信頼性を保証するように、高い方のＣＣＥ集約レベルを構成することができるということを含む。
【０１０４】
例示として、２つのＰＲＢペアとしてのＤＣＩ伝送領域をまだ例とすると、現在のダウンリンク・チャネル条件が良いことを基地局が検出した場合、ＣＣＥ集約レベルは、上記のテーブル１に示したように、２に構成することができる。逆に、現在のダウンリンク・チャネル条件が悪いことを基地局が検出した場合、ＣＣＥ集約レベルは、８に構成することができ、８は、２つのＰＲＢペアでサポートすることができるＣＣＥの最大値である。
【０１０５】
ステップ１３１２では、ＣＣＥ集約レベルが、ＤＣＩ伝送領域によってサポートされるＣＣＥの最大値より小さい場合、第１のマッピング・モードに従って、ＤＣＩ伝送領域にターゲット物理リソースをマッピングする。
【０１０６】
ＤＣＩ伝送領域に対して基地局によって構成されたＣＣＥ集約レベルをＲｃと表現すると仮定すると、本開示では、基地局がどのマッピング・モードを使用して、ＤＣＩ伝送領域にＭＰＤＣＣＨリソースをマッピングするかを判定するために、ＤＣＩ伝送領域によってサポートされるＣＣＥの最大値とＲｃを比較することができる。
【０１０７】
Ｒｃが、ＤＣＩ伝送領域によってサポートされるＣＣＥの最大値より小さい場合、第１のマッピング・モードを使用して、ＭＰＤＣＣＨリソース・マッピングを実施する。そうでなければ、ステップ１３１３を実施する。
【０１０８】
ステップ１３１３では、ＣＣＥ集約レベルが、ＤＣＩ伝送領域によってサポートされるＣＣＥの最大値に等しい場合、第２のマッピング・モードに従って、ＤＣＩ伝送領域にターゲット物理リソースをマッピングする。
【０１０９】
同様に、Ｒｃが、ＤＣＩ伝送領域によってサポートされるＣＣＥの最大値に等しい場合、第２のマッピング・モードを使用して、ＤＣＩ伝送領域にＭＰＤＣＣＨリソースをマッピングする。
【０１１０】
例示として、基地局によって決定されたＤＣＩ伝送領域が２つのＰＲＢペアであるとまだ仮定すると、上記で説明したように、本開示では、１つのＰＲＢペアが、４つまでのＣＣＥをサポートすることができ、２つのＰＲＢペアでサポートできるＣＣＥの最大値は８である。
【０１１１】
２つのＰＲＢペアに対して基地局によって構成されたＣＣＲ集約レベルＲｃが、８より小さい場合、例えば、Ｒｃが、２または４に等しい場合、基地局は、図４−１に示したように、第１のマッピング・モードに従って、２つのＰＲＢペアにＭＰＤＣＣＨリソースをマッピングする。
【０１１２】
逆に、２つのＰＲＢペアに対して基地局によって構成されたＣＣＲ集約レベルＲｃが、８に等しい場合、基地局は、図４−２に示したように、第２のマッピング・モードに従って、２つのＰＲＢペアにＭＰＤＣＣＨリソースをマッピングする。基地局は、サブフレームの有効領域にＭＰＤＣＣＨリソースをマッピングすることになり、ここで、有効領域は、例えば、図１の右側に示した各ブランク・セルに対応する時間／周波数領域といった、サブフレームの最初の３つのＯＦＤＭシンボルに対応する時間／周波数領域を含む。
【０１１３】
同様に、上記の方法は、ＤＣＩ伝送領域が４つのＰＲＢペアであるケースに適用可能である。また、上記の方法は、図４−３に示したように、ＤＣＩ伝送領域が、６つのＰＲＢペアであり、Ｒｃが、２４に等しいケースに適用可能である。
【０１１４】
ＤＣＩ伝送領域の異なるマッピング領域に対して異なるＣＣＥ集約レベルを基地局が構成するケースについて、基地局は、各マッピング領域に対してＭＰＤＣＣＨリソース・マッピング・モードを決定することができる。
【０１１５】
図７を参照すると、図７は、１つの実施形態によるＭＴＣ  ＤＣＩを伝送する別の方法を示すフローチャートであり、ステップ１３は、以下を含むことができる。
【０１１６】
ステップ１３２１では、現在のマッピング領域のＣＣＥ集約レベルを判定する。
【０１１７】
ステップ１３２２では、現在のマッピング領域のＣＣＥ集約レベルが、現在のマッピング領域によってサポートされるＣＣＥの最大値より小さい場合、第１のマッピング・モードに従って、現在のマッピング領域にターゲット物理リソースをマッピングする。
【０１１８】
ステップ１３２３では、現在のマッピング領域のＣＣＥ集約レベルが、現在のマッピング領域によってサポートされるＣＣＥの最大値に等しい場合、第２のマッピング・モードに従って、現在のマッピング領域にターゲット物理リソースをマッピングする。
【０１１９】
例示として、ＤＣＩ伝送領域が６つのＰＲＢペアであり、６つのＰＲＢペアが、２つのＰＲＢペアのマッピング領域と４つのＰＲＢペアのマッピング領域に分割されるケースについて、上記の方法に従って基地局によって決定されたＭＰＤＣＣＨリソースの配置を示す概略図を、図８−１から図８−４で見ることができる。
【０１２０】
図８−１は、２つのＰＲＢペアのマッピング領域のＲｃが、８より小さく、４つのＰＲＢペアのマッピング領域のＲｃが、１６に等しい応用シナリオに適用可能である。
【０１２１】
同様に、図８−２は、２つのＰＲＢペアのマッピング領域のＲｃが、８に等しく、４つのＰＲＢペアのマッピング領域のＲｃが、１６より小さい応用シナリオに適用可能である。
【０１２２】
図８−３は、２つのＰＲＢペアのマッピング領域のＲｃが、８より小さく、４つのＰＲＢペアのマッピング領域のＲｃが、１６より小さい応用シナリオに適用可能である。
【０１２３】
図８−４は、２つのＰＲＢペアのマッピング領域のＲｃが、８に等しく、４つのＰＲＢペアのマッピング領域のＲｃが、１６に等しい応用シナリオに適用可能である。
【０１２４】
本開示の実施形態では、同じＤＣＩ伝送領域において、異なるマッピング領域に対して、異なるＭＰＤＣＣＨリソース・マッピング・モードを使用することができる。このようにして、上層シグナリングを通じてターゲット物理リソースのマッピング・モードをＵＥに通知する必要はなく、リソース構成は、より柔軟になり、リソース利用効率を効果的に改善することができる。
【０１２５】
ステップ１４では、ＤＣＩ伝送領域にマッピングしたターゲット物理リソースを通じてＭＴＣデバイスにＤＣＩを伝送する。
【０１２６】
基地局がターゲット物理リソースをマッピングした後、ＤＣＩは、ターゲット物理リソースにロードすることができ、ＤＣＩは、ＭＰＤＣＣＨを通じて各ＭＴＣデバイスに送ることができる。
【０１２７】
要約すれば、本開示によって提供されるＭＴＣ  ＤＣＩを伝送する方法を使用すると、ＭＴＣデバイスのための物理ダウンリンク制御チャネル・リソースを基地局が独立して配置するとき、ターゲット・リソース領域、すなわち、元のＬＴＥシステムの制御領域からの独自のＤＣＩのサーチをＭＴＣデバイスがサポートする場合、基地局は、ＭＴＣデバイスのＤＣＩを搬送するためのターゲット物理リソースをターゲット・リソース領域にマッピングすることができ、このことにより、ＭＰＤＣＣＨリソース・マッピングを強化し、システム・リソースを効果的に使用し、ＭＴＣデバイスのＤＣＩの伝送効率を改善する。
【０１２８】
同様に、本開示は、ＭＴＣ  ＤＣＩを伝送する方法も提供し、この方法は、第２のＭＴＣデバイス、すなわち、ターゲット・リソース領域からのＤＣＩのサーチをサポートするＭＴＣデバイスに適用可能である。ターゲット・リソース領域は、元のＬＴＥシステムの制御領域であり、図１の左の図に示したように、サブフレームの最初の３つのＯＦＤＭシンボルに対応する時間／周波数領域であってもよい。
【０１２９】
図９を参照すると、図９は、１つの実施形態によるＭＴＣ  ＤＣＩを伝送する方法を示すフローチャートであり、方法は、以下のステップを含むことができる。
【０１３０】
ステップ２１では、基地局から制御リソース構成情報を受け取り、ＤＣＩ伝送領域を判定する。
【０１３１】
上記のステップ１１に対応して、ＭＴＣデバイスは、基地局によって送られた制御リソース構成情報を受け取り、基地局によってＭＴＣデバイスを構成したＤＣＩをサーチすることになる時間／周波数範囲を決定する。
【０１３２】
ステップ２２では、既定の参照情報およびＤＣＩ伝送領域に従って、ターゲット・サーチ領域を決定し、ここで、既定の参照情報は、ブラインド検出ＣＣＥ集約レベル、または基地局によって送られた物理リソース構成情報を含む。ターゲット・サーチ領域は、ＤＣＩ伝送領域、またはＤＣＩ伝送領域のマッピング領域に属することができ、これは、具体例とともに後で詳細に説明する。
【０１３３】
本開示では、ＭＴＣデバイスが、基地局から物理リソース構成情報を受け取るかどうかに従って、ステップ２２の実装形態は、以下の２つのケースを含むことができる。
【０１３４】
第１のケースでは、ＭＴＣデバイスは、基地局から物理リソース構成情報を受け取らず、ＭＴＣデバイスは、既定のブラインド検出ＣＣＥ集約レベルに従って、ターゲット・サーチ領域を決定することができる。
【０１３５】
図１０を参照すると、図１０は、１つの実施形態によるＭＴＣ  ＤＣＩを伝送する別の方法を示すフローチャートであり、ステップ２２は、以下を含むことができる。
【０１３６】
ステップ２２１１では、未検出領域のブラインド検出ＣＣＥ集約レベルを判定し、ここで、未検出領域は、ＤＣＩ伝送領域、またはＤＣＩ伝送領域のマッピング領域を含む。
【０１３７】
ＭＴＣデバイスがブラインド検出を実施するとき、ＭＴＣデバイスは、一般に、どのＣＣＥ集約レベルを使用して、ＤＣＩ伝送領域から独自のＤＣＩをサーチするのかを知らない。したがって、利用可能なＣＣＥ集約レベルを使用して、別々にサーチする。２つのＰＲＢペアとしてのＤＣＩ伝送領域をまだ例とすると、ＭＴＣデバイスの既定のブラインド検出ＣＣＥ集約レベルは、２、４、および８であることが可能である。
【０１３８】
ステップ２２１２では、ブラインド検出ＣＣＥ集約レベルが、未検出領域によってサポートされるＣＣＥの最大値に等しい場合、未検出領域全体のうちの有効領域をターゲット・サーチ領域として決定する。
【０１３９】
有効領域は、ＣＲＳリソースを除いた未検出領域全体のうちの１つの領域である。
【０１４０】
本開示では、未検出領域は、ＤＣＩ伝送領域全体であってもよい。また、未検出領域は、ＤＣＩ伝送領域におけるマッピング領域であってもよい。
【０１４１】
例示として、未検出領域が２つのＰＲＢペアであるとまだ仮定し、ＵＥ１のブラインド検出ＣＣＥ集約レベルの値が８である場合、ＵＥ１によって決定されたターゲット・サーチ領域を図４−２に示す。
【０１４２】
ＤＣＩ伝送領域が、２つのマッピング領域を含む６つのＰＲＢペアである場合、２つのマッピング領域は、それぞれ、２つのＰＲＢペアのマッピング領域および４つのＰＲＢペアのマッピング領域である。未検出領域が、２つのＰＲＢペアのマッピング領域である場合、ＣＣＥ集約レベルの値を８として有するマッピング領域をサーチするとＵＥ１が決定したとき、決定したターゲット・サーチ領域を図８−２に示す。
【０１４３】
ステップ２２１３では、ブラインド検出ＣＣＥ集約レベルが、未検出領域によってサポートされるＣＣＥの最大値より小さい場合、ターゲット・リソース領域を除いた未検出領域をターゲット・サーチ領域として決定する。
【０１４４】
同様に、ＵＥ１のブラインド検出ＣＣＥ集約レベルの値が２または４であり、未検出領域（すなわち、２つのＰＲＢペア）によってサポートされるＣＣＥの最大値（８）より小さい場合、ＵＥ１によって決定されたターゲット・サーチ領域を図４−１に示す。
【０１４５】
未検出領域が、２つのＰＲＢペアのマッピング領域であるケースについて、ＵＥ１のブラインド検出ＣＣＥ集約レベルの値が２または４であり、未検出領域（すなわち、２つのＰＲＢペアのマッピング領域）によってサポートされるＣＣＥの最大値（８）より小さい場合、ＵＥ１によって決定されたターゲット・サーチ領域を図８−１に示す。
【０１４６】
第２のケースでは、ＭＴＣデバイスは、基地局から物理リソース構成情報を受け取り、次に、ＭＴＣデバイスは、物理リソース構成情報に従って、ターゲット・サーチ領域を決定することができる。物理リソース構成情報は、ＭＰＤＣＣＨリソースのマッピング範囲をＭＴＣデバイスに知らせる。
【０１４７】
１つの実施形態では、物理リソース構成情報が、ＭＰＤＣＣＨリソースのマッピング範囲を含む場合、ＭＴＣデバイスは、ＭＰＤＣＣＨリソースのマッピング範囲をターゲット・サーチ領域として直接決定することができる。
【０１４８】
別の実施形態では、物理リソース構成情報は、ＤＣＩ伝送領域の既定のマッピング・モードを含むことができる。
【０１４９】
図１１を参照すると、図１１は、１つの実施形態によるＭＴＣ  ＤＣＩを伝送する別の方法を示すフローチャートであり、ステップ２２は、以下を含むことができる。
【０１５０】
ステップ２２２１では、物理リソース構成情報に従って、未検出領域の既定のリソース・マッピング・モードを決定し、ここで、未検出領域は、ＤＣＩ伝送領域、またはＤＣＩ伝送領域のマッピング領域を含む。
【０１５１】
ステップ２２２２では、既定のリソース・マッピング・モードが、第１のマッピング・モードである場合、ターゲット・リソース領域を除いた未検出領域をターゲット・サーチ領域として決定し、ここで、第１のマッピング・モードは、元のＬＴＥシステムのデータ領域にターゲット物理リソースをマッピングするように構成され、ターゲット物理リソースは、ＭＴＣデバイスのＤＣＩを搬送する。
【０１５２】
ステップ２２２３では、既定のリソース・マッピング・モードが、第２のマッピング・モードである場合、未検出領域全体のうちの有効領域をターゲット・サーチ領域として決定し、ここで、有効領域は、ＣＲＳリソースを除いた未検出領域全体のうちの１つの領域であり、第２のマッピング・モードは、サブフレームの有効領域にターゲット物理リソースをマッピングするように構成され、サブフレームの有効領域は、サブフレーム内のＣＲＳリソースを除いた時間／周波数領域である。
【０１５３】
ステップ２３では、既定のブラインド検出ＣＣＥ集約レベルに従って、ターゲット・サーチ領域からターゲットＤＣＩを検出する。
【０１５４】
上記のテーブル１に示したように、ターゲット・サーチ領域を決定した後、ＭＴＣデバイスは、利用可能なブラインド検出ＣＣＥ集約レベルに従って、ターゲット・サーチ領域から独自のＤＣＩ、すなわち、ターゲットＤＣＩを検出する。
【０１５５】
図３に示した実施形態に対応して、図１２を参照すると、図１２は、１つの実施形態によるＭＴＣ  ＤＣＩを伝送する別の方法を示すフローチャートであり、ステップ２２の前に、方法は、以下をさらに含むことができる。
【０１５６】
ステップ２０では、基地局にデバイス能力情報をレポートし、ここで、デバイス能力情報は、ターゲット・リソース領域からＤＣＩをサーチする能力をＭＴＣデバイスが有しているかどうかを示す。
【０１５７】
同様に、デバイス能力情報を取得した後、基地局は、デバイス能力情報に従って、ＭＴＣ  ＤＣＩを搬送するためのターゲット物理リソースを既定のＤＣＩ伝送領域にマッピングすることができる。
【０１５８】
前述の方法の実施形態について、簡単にするために、これらの全てをアクションの一連の組合せとして説明するが、いくつかのステップは、本開示に従って、他の順序で、または同時に実施することができるので、説明した一連のアクションによって本開示が限定されないことを当業者は理解されたい。
【０１５９】
第２に、当業者は、本説明で説明した実施形態が任意選択の実施形態に全て属すること、ならびに、含まれる動作およびモジュールが、本開示では必ずしも必要ではないということも理解されたい。
【０１６０】
アプリケーション機能を実装するための前述の方法の実施形態に対応して、本開示は、アプリケーション機能および対応する端末を実装するための装置の実施形態をさらに提供する。
【０１６１】
図１３を参照すると、図１３は、１つの実施形態によるＭＴＣ  ＤＣＩを伝送するための装置を示すブロック図であり、装置は、基地局にセットすることができ、装置は、以下を含むことができる。
【０１６２】
伝送領域判定モジュール３１は、ＭＴＣデバイスのために構成されたＤＣＩ伝送領域を判定し、制御リソース構成情報を生成して、ＭＴＣデバイスに送るように構成される。
【０１６３】
能力判定モジュール３２は、ＤＣＩ伝送領域におけるＭＴＣデバイスの情報検出能力を判定するように構成され、ここで、情報検出能力は、ターゲット・リソース領域からのＤＣＩのサーチをＭＴＣデバイスがサポートするかどうかを示し、ターゲット・リソース領域は、元のＬＴＥシステムの制御領域である。本開示の装置の実施形態では、制御領域は、サブフレームの最初の３つのＯＦＤＭシンボルに対応する時間／周波数領域を含むことができる。
【０１６４】
リソース・マッピング・モジュール３３は、情報検出能力および既定のリソース・マッピング・モードに従って、ＤＣＩ伝送領域にターゲット物理リソースをマッピングするように構成され、ここで、ターゲット物理リソースは、ＭＴＣデバイスのＤＣＩを搬送する。
【０１６５】
本開示では、既定のリソース・マッピング・モードは、
元のＬＴＥシステムのデータ領域にターゲット物理リソースをマッピングするように構成された第１のマッピング・モード、および／または
サブフレームの有効領域にターゲット物理リソースをマッピングするように構成された第２のマッピング・モードであって、サブフレームの有効領域が、サブフレーム内のセル参照信号リソースを除いた時間／周波数領域である、第２のマッピング・モード
を含むことができる。データ領域は、サブフレームの最後の１１個のＯＦＤＭシンボルに対応する時間／周波数領域を含むことができる。
【０１６６】
情報伝送モジュール３４は、ＤＣＩ伝送領域にマッピングしたターゲット物理リソースを通じてＭＴＣデバイスにＤＣＩを伝送するように構成される。
【０１６７】
図１４を参照すると、図１４は、図１３に示した装置の実施形態に基づく、１つの実施形態によるＭＴＣ  ＤＣＩを伝送するための別の装置を示すブロック図であり、能力判定モジュール３２は、
各ＭＴＣデバイスによってレポートされたデバイス能力情報を取得するように構成された能力情報取得サブモジュール３２１と、
デバイス能力情報に従って、ＭＴＣデバイスの情報検出能力を判定するように構成された能力判定サブモジュール３２２と
を含むことができる。
【０１６８】
本開示の装置の実施形態では、能力情報取得サブモジュール３２１によって取得したデバイス能力情報は、情報検出能力を示すための既定の指示値を含むことができる。
【０１６９】
図１５を参照すると、図１５は、図１４に示した装置の実施形態に基づく、１つの実施形態によるＭＴＣ  ＤＣＩを伝送するための別の装置を示すブロック図であり、能力判定サブモジュール３２２は、
既定の指示値が第１の指示値である場合、ターゲット・リソース領域からのＤＣＩのサーチをＭＴＣデバイスがサポートすると判定するように構成された第１の能力判定ユニット３２２１と、
既定の指示値が第２の指示値である場合、ターゲット・リソース領域からのＤＣＩのサーチをＭＴＣデバイスがサポートしないと判定するように構成された第２の能力判定ユニット３２２２と
を含むことができる。
【０１７０】
本開示の装置の実施形態では、リソース・マッピング・モジュール３３は、ターゲット・リソース領域からのＤＣＩのサーチをＭＴＣデバイスがサポートしない場合、第１のマッピング・モードに従って、ＤＣＩ伝送領域にターゲット物理リソースをマッピングするように構成することができる。
【０１７１】
図１６を参照すると、図１６は、図１３に示した装置の実施形態に基づく、１つの実施形態によるＭＴＣ  ＤＣＩを伝送するための別の装置を示すブロック図であり、リソース・マッピング・モジュール３３は、
ターゲット物理リソースのターゲット・リソース・マッピング・モードを決定し、リソース・マッピングを実施するように構成されたマッピング・モード決定サブモジュール３３０１であって、ターゲット・リソース・マッピング・モードが、第１のマッピング・モードまたは第２のマッピング・モードである、マッピング・モード決定サブモジュール３３０１と、
ターゲット・リソース・マッピング・モードに従って、物理リソース構成情報を生成するように構成された構成情報生成サブモジュール３３０２であって、物理リソース構成情報が、ターゲット物理リソースのマッピング範囲をＭＴＣデバイスに知らせる、構成情報生成サブモジュール３３０２と、
上層シグナリングを通じてＭＴＣデバイスに物理リソース構成情報を送るように構成された構成情報送付サブモジュール３３０３と
を含むことができる。
【０１７２】
本開示の別の装置の実施形態では、リソース・マッピング・モジュール３３は、ターゲット・リソース領域からのＤＣＩのサーチをＭＴＣデバイスがサポートする場合、ＣＣＥ集約レベルに従って、ＤＣＩ伝送領域にターゲット物理リソースをマッピングするように構成することができる。
【０１７３】
図１７を参照すると、図１７は、図１３に示した装置の実施形態に基づく、１つの実施形態によるＭＴＣ  ＤＣＩを伝送するための別の装置を示すブロック図であり、リソース・マッピング・モジュール３３は、
ＤＣＩ伝送領域のＣＣＥ集約レベルを判定するように構成された第１のＣＣＥ集約レベル判定サブモジュール３３１１と、
ＣＣＥ集約レベルが、ＤＣＩ伝送領域によってサポートされるＣＣＥの最大値より小さい場合、第１のマッピング・モードに従って、ＤＣＩ伝送領域にターゲット物理リソースをマッピングするように構成された第１のリソース・マッピング・サブモジュール３３１２と、
ＣＣＥ集約レベルが、ＤＣＩ伝送領域によってサポートされるＣＣＥの最大値に等しい場合、第２のマッピング・モードに従って、ＤＣＩ伝送領域にターゲット物理リソースをマッピングするように構成された第２のリソース・マッピング・サブモジュール３３１３と
を含むことができる。
【０１７４】
本開示の別の装置の実施形態では、伝送領域判定モジュール３１によって判定したＤＣＩ伝送領域は、異なる大きさのマッピング領域を含むことができる。
【０１７５】
同様に、図１８を参照すると、図１８は、図１３に示した装置の実施形態に基づく、１つの実施形態によるＭＴＣ  ＤＣＩを伝送するための別の装置を示すブロック図であり、リソース・マッピング・モジュール３３は、
現在のマッピング領域のＣＣＥ集約レベルを判定するように構成された第２のＣＣＥ集約レベル判定サブモジュール３３２１と、
現在のマッピング領域のＣＣＥ集約レベルが、現在のマッピング領域によってサポートされるＣＣＥの最大値より小さい場合、第１のマッピング・モードに従って、現在のマッピング領域にターゲット物理リソースをマッピングするように構成された第３のリソース・マッピング・サブモジュール３３２２と、
現在のマッピング領域のＣＣＥ集約レベルが、現在のマッピング領域によってサポートされるＣＣＥの最大値に等しい場合、第２のマッピング・モードに従って、現在のマッピング領域にターゲット物理リソースをマッピングするように構成された第４のリソース・マッピング・サブモジュール３３２３と
を含むことができる。
【０１７６】
同様に、本開示は、ＭＴＣ  ＤＣＩを伝送するための装置も提供し、装置は、ＭＴＣデバイスにセットすることができる。ＭＴＣデバイスは、ターゲット・リソース領域からのＤＣＩのサーチをサポートし、ターゲット・リソース領域は、元のＬＴＥシステムの制御領域である。
【０１７７】
図１９を参照すると、図１９は、１つの実施形態によるＭＴＣ  ＤＣＩを伝送するための装置を示すブロック図であり、装置は、以下を含むことができる。
【０１７８】
伝送領域判定モジュール４１は、基地局から制御リソース構成情報を取得し、ＤＣＩ伝送領域を判定するように構成される。
【０１７９】
サーチ領域決定モジュール４２は、既定の参照情報およびＤＣＩ伝送領域に従って、ターゲット・サーチ領域を決定するように構成され、ここで、既定の参照情報は、ブラインド検出ＣＣＥ集約レベル、または基地局によって送られた物理リソース構成情報を含む。
【０１８０】
ＤＣＩ検出モジュール４３は、既定のブラインド検出ＣＣＥ集約レベルに従って、ターゲット・サーチ領域からターゲットＤＣＩを検出するように構成される。
【０１８１】
本開示の装置の実施形態では、既定の参照情報が、ブラインド検出ＣＣＥ集約レベルを含む場合、図２０を参照すると、図２０は、図１９に示した装置の実施形態に基づく、１つの実施形態によるＭＴＣ  ＤＣＩを伝送するための別の装置を示すブロック図であり、サーチ領域決定モジュール４２は、
未検出領域のブラインド検出ＣＣＥ集約レベルを判定するように構成されたＣＣＥ集約レベル判定サブモジュール４２１１であって、未検出領域が、ＤＣＩ伝送領域、またはＤＣＩ伝送領域のマッピング領域を含む、ＣＣＥ集約レベル判定サブモジュール４２１１と、
ブラインド検出ＣＣＥ集約レベルが、未検出領域によってサポートされるＣＣＥの最大値に等しい場合、未検出領域全体のうちの有効領域をターゲット・サーチ領域として決定するように構成された第１のサーチ領域決定サブモジュール４２１２であって、有効領域が、ＣＲＳリソースを除いた未検出領域全体のうちの１つの領域である、第１のサーチ領域決定サブモジュール４２１２と、
ブラインド検出ＣＣＥ集約レベルが、未検出領域によってサポートされるＣＣＥの最大値より小さい場合、ターゲット・リソース領域を除いた未検出領域をターゲット・サーチ領域として決定するように構成された第２のサーチ領域決定サブモジュール４２１３と
を含むことができる。
【０１８２】
本開示の装置の実施形態では、既定の参照情報が、基地局によって送られた物理リソース構成情報を含む場合、図２１を参照すると、図２１は、図１９に示した装置の実施形態に基づく、１つの実施形態によるＭＴＣ  ＤＣＩを伝送するための別の装置を示すブロック図であり、サーチ領域決定モジュール４２は、
物理リソース構成情報に従って、未検出領域の既定のリソース・マッピング・モードを決定するように構成されたリソース・マッピング・モード決定サブモジュール４２２１であって、未検出領域が、ＤＣＩ伝送領域、またはＤＣＩ伝送領域のマッピング領域を含む、リソース・マッピング・モード決定サブモジュール４２２１と、
既定のリソース・マッピング・モードが、第１のマッピング・モードである場合、ターゲット・リソース領域を除いた未検出領域をターゲット・サーチ領域として決定するように構成された第３のサーチ領域決定サブモジュール４２２２と、
既定のリソース・マッピング・モードが、第２のマッピング・モードである場合、未検出領域全体のうちの有効領域をターゲット・サーチ領域として決定するように構成された第４のサーチ領域決定サブモジュール４２２３であって、有効領域が、ＣＲＳリソースを除いた未検出領域のうちの１つの領域である、第４のサーチ領域決定サブモジュール４２２３と
を含むことができる。
【０１８３】
第１のマッピング・モードは、元のＬＴＥシステムのデータ領域にターゲット物理リソースをマッピングするように構成され、ターゲット物理リソースは、ＭＴＣデバイスのＤＣＩを搬送する。
【０１８４】
第２のマッピング・モードは、サブフレームの有効領域にターゲット物理リソースをマッピングするように構成され、サブフレームの有効領域は、サブフレーム内のＣＲＳリソースを除いた時間／周波数領域である。
【０１８５】
図２２を参照すると、図２２は、図１９に示した装置の実施形態に基づく、１つの実施形態によるＭＴＣ  ＤＣＩを伝送するための別の装置を示すブロック図であり、装置は、
基地局にデバイス能力情報をレポートするように構成されたデバイス能力レポート・モジュール４０であって、基地局が、デバイス能力情報に従って、ＭＴＣ  ＤＣＩを搬送するためのターゲット物理リソースを既定のＤＣＩ伝送領域にマッピングするように、デバイス能力情報が、ターゲット・リソース領域からＤＣＩをサーチする能力をＭＴＣデバイスが有しているかどうかを示す、デバイス能力レポート・モジュール４０
をさらに含むことができる。
【０１８６】
装置の例は、方法の例に実質的に対応するので、関連部分について、方法の例の説明の一部を参照することができる。上記で説明した装置の例は、例証的なものにすぎず、ここで、別個のメンバとして説明したユニットは、物理的に分離していても、していなくてもよく、ユニットとして表示したメンバは、物理的なユニットであっても、そうでなくてもよく、例えば、１つの場所にあってもよく、または複数のネットワーク・ユニットに分散されてもよい。実際の要件に従って、モジュールの一部または全てを選択して、例における解決策の目的を実現することができる。当業者は、創造的な作業を行うことなく、これらを理解し、実行することができる。
【０１８７】
同様に、一方で基地局を提供し、基地局は、
プロセッサと、
プロセッサによって実行可能な命令を記憶するためのメモリと
を含み、
プロセッサは、
ＭＴＣデバイスのために構成されたＤＣＩ伝送領域を判定することと、制御リソース構成情報を生成して、ＭＴＣデバイスに送ることと、
ＤＣＩ伝送領域におけるＭＴＣデバイスの情報検出能力を判定することであって、情報検出能力が、ターゲット・リソース領域からのＤＣＩのサーチをＭＴＣデバイスがサポートするかどうかを示し、ターゲット・リソース領域が、元のＬＴＥシステムの制御領域である、判定することと、
情報検出能力および既定のリソース・マッピング・モードに従って、ＤＣＩ伝送領域にターゲット物理リソースをマッピングすることであって、ターゲット物理リソースが、ＭＴＣデバイスのＤＣＩを搬送する、マッピングすることと、
ＤＣＩ伝送領域にマッピングしたターゲット物理リソースを通じてＭＴＣデバイスにＤＣＩを伝送することと
を行うように構成される。
その一方で、ユーザ機器を提供し、ユーザ機器は、ＭＴＣデバイスに属し、ＭＴＣデバイスは、ターゲット・リソース領域からのＤＣＩのサーチをサポートし、ターゲット・リソース領域は、元のＬＴＥシステムの制御領域であり、ユーザ機器は、
プロセッサと、
プロセッサによって実行可能な命令を記憶するためのメモリと
を含み、
プロセッサは、
基地局から制御リソース構成情報を取得することと、ＤＣＩ伝送領域を判定することと、
既定の参照情報およびＤＣＩ伝送領域に従って、ターゲット・サーチ領域を決定することであって、既定の参照情報が、ブラインド検出ＣＣＥ集約レベル、または基地局によって送られた物理リソース構成情報を含む、決定することと、
既定のブラインド検出ＣＣＥ集約レベルに従って、ターゲット・サーチ領域からターゲットＤＣＩを検出することと
を行うように構成される。
【０１８８】
図２３に示したように、図２３は、１つの実施形態による基地局２３００の概略構造図である。図２３を参照すると、基地局２３００は、処理構成要素２３２２、ワイヤレス送受信構成要素２３２４、アンテナ構成要素２３２６、および、ワイヤレス・インターフェースに固有の信号処理構成要素を含む。処理構成要素２３２２は、１つまたは複数のプロセッサをさらに含むことができる。
【０１８９】
処理構成要素２３２２におけるプロセッサのうちの１つは、
ＭＴＣデバイスのために構成されたＤＣＩ伝送領域を判定することと、制御リソース構成情報を生成して、ＭＴＣデバイスに送ることと、
ＤＣＩ伝送領域におけるＭＴＣデバイスの情報検出能力を判定することであって、情報検出能力が、ターゲット・リソース領域からのＤＣＩのサーチをＭＴＣデバイスがサポートするかどうかを示し、ターゲット・リソース領域が、元のＬＴＥシステムの制御領域である、判定することと、
情報検出能力および既定のリソース・マッピング・モードに従って、ＤＣＩ伝送領域にターゲット物理リソースをマッピングすることであって、ターゲット物理リソースが、ＭＴＣデバイスのＤＣＩを搬送する、マッピングすることと、
ＤＣＩ伝送領域にマッピングしたターゲット物理リソースを通じてＭＴＣデバイスにＤＣＩを伝送することと
を行うように構成することができる。
【０１９０】
実施形態では、非一時的コンピュータ可読記憶媒体を提供し、記憶媒体は、コンピュータ命令を含み、記憶する。コンピュータ命令は、基地局２３００の処理構成要素２３２２によって実行し、図１から図８−４のいずれかで説明したような、ＭＴＣ  ＤＣＩを伝送する方法を完了させることができる。例えば、非一時的コンピュータ可読記憶媒体は、ＲＯＭ、ランダム・アクセス・メモリ（ＲＡＭ）、ＣＤ−ＲＯＭ、磁気テープ、フロッピー・ディスク、および光学データ・ストレージ・デバイスであってもよい。
【０１９１】
図２４は、１つの実施形態によるユーザ機器２４００の概略構造図である。例えば、ユーザ機器２４００は、ＭＴＣサービスをサポートする端末であってもよく、特に、携帯電話、コンピュータ、デジタル・ブロードキャスティング端末、メッセージ送受信デバイス、ゲーム機、タブレット・デバイス、医療デバイス、フィットネス・デバイス、パーソナル・デジタル・アシスタント、スマート計器、共有自転車等などのスマート車両、スマート・ウォッチ、スマート・グラス、スマート・バンド、スマート・ランニング・シューズ等などのウェアラブル・デバイスであってもよい。
【０１９２】
図２４を参照すると、ユーザ機器２４００は、処理構成要素２４０２、メモリ２４０４、電源構成要素２４０６、マルチメディア構成要素２４０８、オーディオ構成要素２４１０、入出力（Ｉ／Ｏ）インターフェース２４１２、センサ構成要素２４１４、および通信構成要素２４１６といった構成要素の１つまたは複数を含むことができる。
【０１９３】
処理構成要素２４０２は、表示、通話、データ通信、カメラ動作、および記録動作と関連付けられた動作などの、ユーザ機器２４００の全体的な動作を全体的に制御する。処理構成要素２４０２は、命令を実行して、上記の方法のステップの全てまたは一部を完了させるために、１つまたは複数のプロセッサ２４２０を含むことができる。さらに、処理構成要素２４０２は、処理構成要素２４０２と他の構成要素との間の対話を容易にする１つまたは複数のモジュールを含むことができる。例えば、処理構成要素２４０２は、マルチメディア構成要素２４０８と処理構成要素２４０２との間の対話を容易にするためのマルチメディア・モジュールを含むことができる。
【０１９４】
メモリ２４０４は、ユーザ機器２４００の動作をサポートするための様々なタイプのデータを記憶するためのものである。このようなデータの例は、ユーザ機器２４００上で動作する任意のアプリケーションまたは方法のための命令、連絡先データ、電話帳データ、メッセージ、画像、ビデオ、などを含む。メモリ２４０４は、スタティック・ランダム・アクセス・メモリ（ＳＲＡＭ）、電気的消去可能プログラマブル・リード・オンリ・メモリ（ＥＥＰＲＯＭ）、消去可能プログラマブル・リード・オンリ・メモリ（ＥＰＲＯＭ）、プログラマブル・リード・オンリ・メモリ（ＰＲＯＭ）、リード・オンリ・メモリ（ＲＯＭ）、磁気メモリ、フラッシュ・メモリ、磁気もしくはコンパクト・ディスクなどの、揮発性もしくは不揮発性ストレージデバイスのいずれかのタイプ、またはこれらの組合せによって実装することができる。
【０１９５】
電源構成要素２４０６は、ユーザ機器２４００の種々の構成要素に電力を供給する。電源構成要素２４０６は、電力管理システム、１つまたは複数の電源、ならびに、ユーザ機器２４００への電力の生成、管理、および分散と関連付けられた他の構成要素を含むことができる。
【０１９６】
マルチメディア構成要素２４０８は、ユーザ機器２４００とユーザとの間の出力インターフェースを提供する画面を含む。いくつかの例では、画面は、液晶ディスプレイ（ＬＣＤ）およびタッチ・パネル（ＴＰ：Ｔｏｕｃｈ  Ｐａｎｅｌ）を含むことができる。画面がＴＰを含む場合、画面は、ユーザから入力信号を受け取るためのタッチ・スクリーンとして実装することができる。ＴＰは、ＴＰ上のタッチ、スワイプ、およびジェスチャを検知するための１つまたは複数のタッチ・センサを含むことができる。タッチ・センサは、タッチまたはスワイプの境界を検知するだけでなく、タッチまたはスワイプと関連付けられた継続時間および圧力を検知することもできる。いくつかの例では、マルチメディア構成要素２４０８は、フロント・カメラおよび／またはリア・カメラを含むことができる。フロント・カメラおよび／またはリア・カメラは、機器２４００が、写真モードまたはビデオ・モードなどの動作モードのときに、外部のマルチメディア・データを受け取ることができる。フロント・カメラとリア・カメラのそれぞれは、固定式光学レンズ・システムであるか、または、焦点距離および光学ズーム能力を有することもできる。
【０１９７】
オーディオ構成要素２４１０は、オーディオ信号を出力および／または入力するためのものである。例えば、オーディオ構成要素２４１０は、マイクロフォン（ＭＩＣ：ｍｉｃｒｏｐｈｏｎｅ）を含む。ユーザ機器２４００が、通話モード、録音モード、および音声認識モードなどの動作モードのとき、ＭＩＣは、外部のオーディオ信号を受け取ることになる。受け取ったオーディオ信号は、メモリ２４０４にさらに記憶するか、または、通信構成要素２４１６を介して送ることができる。いくつかの例では、オーディオ構成要素２４１０は、オーディオ信号を出力するためのスピーカをさらに含む。
【０１９８】
Ｉ／Ｏインターフェース２４１２は、処理構成要素２４０２と周辺インターフェース・モジュールとの間のインターフェースを提供することができる。上記の周辺インターフェース・モジュールは、キーボード、クリック・ホイール、ボタンなどを含むことができる。これらのボタンは、ホーム・ボタン、ボリューム・ボタン、スタート・ボタン、およびロック・ボタンを含むことができるがこれらに限定されない。
【０１９９】
センサ構成要素２４１４は、ユーザ機器２４００についての様々な態様の状態評価を提供するための１つまたは複数のセンサを含む。例えば、センサ構成要素２４１４は、機器２４００のオン／オフ状態、および構成要素の相対位置を検出することができ、例えば、構成要素は、ユーザ機器２４００のディスプレイおよびキーパッドである。また、センサ構成要素２４１４は、ユーザ機器２４００またはユーザ機器２４００の構成要素の位置の変化、ユーザとユーザ機器２４００との間の接触の有無、ユーザ機器２４００の方向または加速／減速、およびユーザ機器２４００の温度の変化を検出することができる。センサ構成要素２４１４は、物理的な接触が何もない状態で、近くの物体の存在を検出するための近接センサを含むことができる。センサ構成要素２４１４は、画像アプリケーションで使用される相補型金属酸化膜半導体（ＣＭＯＳ）または電荷結合素子（ＣＣＤ）画像センサなどの光センサをさらに含むことができる。いくつかの例では、センサ構成要素２４１４は、加速度センサ、ジャイロスコープ・センサ、磁気センサ、圧力センサ、または温度センサをさらに含むことができる。
【０２００】
通信構成要素２４１６は、ユーザ機器２４００と他のデバイスとの間の有線またはワイヤレス通信を容易にするためのものである。ユーザ機器２４００は、Ｗｉ−Ｆｉ、２Ｇ、３Ｇ、４Ｇ  ＬＴＥ、５Ｇ  ＮＲ、またはその組合せなどの通信規格に基づくワイヤレス・ネットワークにアクセスすることができる。１つの例では、通信構成要素２４１６は、ブロードキャスト・チャネルを介して、外部のブロードキャスト管理システムからブロードキャスト信号、またはブロードキャスト関連情報を受け取る。１つの例では、通信構成要素２４１６は、短距離通信を容易にするための近距離無線通信（ＮＦＣ）モジュールをさらに含む。例えば、ＮＦＣモジュールは、無線自動識別（ＲＦＩＤ）技術、赤外線通信協会（ＩｒＤＡ）技術、超広帯域（ＵＷＢ）技術、Ｂｌｕｅｔｏｏｔｈ（Ｒ）（ＢＴ）技術、および他の技術に基づいて実装することができる。
【０２０１】
１つの例では、ユーザ機器２４００は、１つまたは複数の特定用途向け集積回路（ＡＳＩＣ）、デジタル・シグナル・プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、コントローラ、マイクロコントローラ、マイクロプロセッサ、または、上記の方法を実施するための他の電子構成要素で実装することができる。
【０２０２】
１つの例では、命令を含むメモリ２４０４など、命令を含む非一時的マシン可読記憶媒体を提供する。命令は、図９から図１２のいずれかで説明したような、ＭＴＣ  ＤＣＩを伝送する方法を完了させるために、ユーザ機器２４００のプロセッサ２４２０で実行することができる。例えば、非一時的マシン可読記憶媒体は、ＲＯＭ、ＲＡＭ、ＣＤ−ＲＯＭ、磁気テープ、フロッピー・ディスク、光学データ・ストレージ・デバイス、などであってもよい。
【０２０３】
本開示の他の実装形態は、本明細書の検討、および本明細書における本開示の実践から、当業者には明らかであろう。本開示は、本開示の一般的な原理に従い、本開示では開示されない関連技術における共通知識または従来の技術的手段を含む本開示の任意の変形物、用途、修正、または適合をカバーすることを意図する。本明細書および例は、例示的なものにすぎないものとみなされ、本開示の本当の範囲および精神は、以下の請求の範囲で示す。
【０２０４】
本開示は、上記で説明し、添付の図面に示した厳密な構造に限定されないということ、ならびに、本開示の範囲から逸脱することなく様々な修正および変更を行うことができるということが理解されよう。本開示の範囲は、添付の請求の範囲によってのみ限定される。
【図１】
2021527359.tif 000004
【図２】
2021527359.tif 000005
【図３】
2021527359.tif 000006
【図４−１】
2021527359.tif 000007
【図４−２】
2021527359.tif 000008
【図４−３】
2021527359.tif 000009
【図５】
2021527359.tif 000010
【図６】
2021527359.tif 000011
【図７】
2021527359.tif 000012
【図８−１】
2021527359.tif 000013
【図８−２】
2021527359.tif 000014
【図８−３】
2021527359.tif 000015
【図８−４】
2021527359.tif 000016
【図９】
2021527359.tif 000017
【図１０】
2021527359.tif 000018
【図１１】
2021527359.tif 000019
【図１２】
2021527359.tif 000020
【図１３】
2021527359.tif 000021
【図１４】
2021527359.tif 000022
【図１５】
2021527359.tif 000023
【図１６】
2021527359.tif 000024
【図１７】
2021527359.tif 000025
【図１８】
2021527359.tif 000026
【図１９】
2021527359.tif 000027
【図２０】
2021527359.tif 000028
【図２１】
2021527359.tif 000029
【図２２】
2021527359.tif 000030
【図２３】
2021527359.tif 000031
【図２４】
2021527359.tif 000032
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
マシン・タイプ・コミュニケーション、ＭＴＣ、ダウンリンク制御情報、ＤＣＩを伝送する方法であって、基地局に適用可能であり、
ＭＴＣデバイスのために構成されたＤＣＩ伝送領域を判定するステップと、
制御リソース構成情報を生成して、該ＭＴＣデバイスに送るステップと、
該ＤＣＩ伝送領域における該ＭＴＣデバイスの情報検出能力を判定するステップであって、該情報検出能力が、ターゲット・リソース領域からのＤＣＩのサーチを該ＭＴＣデバイスがサポートするかどうかを示し、該ターゲット・リソース領域が、元のＬＴＥ（ｌｏｎｇ  ｔｅｒｍ  ｅｖｏｌｕｔｉｏｎ）システムの制御領域である、ステップと、
該情報検出能力および既定のリソース・マッピング・モードに従って、該ＤＣＩ伝送領域にターゲット物理リソースをマッピングするステップであって、該ターゲット物理リソースが、該ＭＴＣデバイスの該ＤＣＩを搬送する、ステップと、
該ＤＣＩ伝送領域にマッピングした該ターゲット物理リソースを通じて該ＭＴＣデバイスに該ＤＣＩを伝送するステップと
を含む、方法。
【請求項２】
前記制御領域が、サブフレームの最初の３つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルに対応する時間／周波数領域を含む、請求項１に記載の方法。
【請求項３】
前記既定のリソース・マッピング・モードが、
前記元のＬＴＥシステムのデータ領域に前記ターゲット物理リソースをマッピングするように構成された第１のマッピング・モード、および／または
サブフレームの有効領域に前記ターゲット物理リソースをマッピングするように構成された第２のマッピング・モードであって、該サブフレームの該有効領域が、該サブフレーム内のセル参照信号リソースを除いた時間／周波数領域である、第２のマッピング・モード
を含む、請求項１に記載の方法。
【請求項４】
前記データ領域が、
サブフレームの最後の１１個のＯＦＤＭシンボルに対応する時間／周波数領域
を含む、請求項３に記載の方法。
【請求項５】
前記ＤＣＩ伝送領域における前記ＭＴＣデバイスの前記情報検出能力を判定するステップが、
各ＭＴＣデバイスによってレポートされたデバイス能力情報を取得するステップと、
該デバイス能力情報に従って、前記ＭＴＣデバイスの前記情報検出能力を判定するステップと
を含む、請求項１に記載の方法。
【請求項６】
前記デバイス能力情報が、
前記情報検出能力を示すための既定の指示値
を含み、
前記デバイス能力情報に従って、前記ＭＴＣデバイスの前記情報検出能力を判定するステップが、
該既定の指示値が第１の指示値であることに応じて、前記ターゲット・リソース領域からの前記ＤＣＩのサーチを前記ＭＴＣデバイスがサポートすると判定するステップと、
該既定の指示値が第２の指示値であることに応じて、前記ターゲット・リソース領域からの前記ＤＣＩのサーチを前記ＭＴＣデバイスがサポートしないと判定するステップと
を含む、
請求項５に記載の方法。
【請求項７】
前記情報検出能力および前記既定のリソース・マッピング・モードに従って、前記ＤＣＩ伝送領域に前記ターゲット物理リソースをマッピングするステップが、
前記ターゲット・リソース領域からの前記ＤＣＩのサーチを前記ＭＴＣデバイスがサポートしないことに応じて、前記第１のマッピング・モードに従って、前記ＤＣＩ伝送領域に前記ターゲット物理リソースをマッピングするステップ
を含む、請求項３に記載の方法。
【請求項８】
前記情報検出能力および前記既定のリソース・マッピング・モードに従って、前記ＤＣＩ伝送領域に前記ターゲット物理リソースをマッピングするステップが、
前記ターゲット物理リソースのターゲット・リソース・マッピング・モードを決定し、リソース・マッピングを実施するステップであって、該ターゲット・リソース・マッピング・モードが、前記第１のマッピング・モードまたは前記第２のマッピング・モードである、ステップと、
該ターゲット・リソース・マッピング・モードに従って、物理リソース構成情報を生成するステップであって、該物理リソース構成情報が、前記ターゲット物理リソースのマッピング範囲を前記ＭＴＣデバイスに知らせる、ステップと、
上層シグナリングを通じて前記ＭＴＣデバイスに該物理リソース構成情報を送るステップと
を含む、請求項３に記載の方法。
【請求項９】
前記情報検出能力および前記既定のリソース・マッピング・モードに従って、前記ＤＣＩ伝送領域に前記ターゲット物理リソースをマッピングするステップが、
前記ターゲット・リソース領域からの前記ＤＣＩのサーチを前記ＭＴＣデバイスがサポートすることに応じて、制御チャネル要素、ＣＣＥ、集約レベルに従って、前記ＤＣＩ伝送領域に前記ターゲット物理リソースをマッピングするステップ
を含む、請求項３に記載の方法。
【請求項１０】
前記ＣＣＥ集約レベルに従って、前記ＤＣＩ伝送領域に前記ターゲット物理リソースをマッピングするステップが、
前記ＤＣＩ伝送領域のＣＣＥ集約レベルを判定するステップと、
該ＣＣＥ集約レベルが、前記ＤＣＩ伝送領域によってサポートされるＣＣＥの最大値より小さいことに応じて、前記第１のマッピング・モードに従って、前記ＤＣＩ伝送領域に前記ターゲット物理リソースをマッピングするステップと、
該ＣＣＥ集約レベルが、前記ＤＣＩ伝送領域によってサポートされるＣＣＥの該最大値に等しいことに応じて、前記第２のマッピング・モードに従って、前記ＤＣＩ伝送領域に前記ターゲット物理リソースをマッピングするステップと
を含む、請求項９に記載の方法。
【請求項１１】
前記ＤＣＩ伝送領域が、
異なるサイズのマッピング領域
を含み、
前記ＣＣＥ集約レベルに従って、前記ＤＣＩ伝送領域に前記ターゲット物理リソースをマッピングするステップが、
現在のマッピング領域のＣＣＥ集約レベルを判定するステップと、
該現在のマッピング領域の前記ＣＣＥ集約レベルが、該現在のマッピング領域によってサポートされるＣＣＥの最大値より小さいことに応じて、前記第１のマッピング・モードに従って、該現在のマッピング領域に前記ターゲット物理リソースをマッピングするステップと、
該現在のマッピング領域の前記ＣＣＥ集約レベルが、該現在のマッピング領域によってサポートされるＣＣＥの該最大値に等しいことに応じて、前記第２のマッピング・モードに従って、該現在のマッピング領域に前記ターゲット物理リソースをマッピングするステップと
を含む、
請求項９に記載の方法。
【請求項１２】
ＭＴＣ  ＤＣＩを伝送する方法であって、ＭＴＣデバイスに適用可能であり、該ＭＴＣデバイスが、ターゲット・リソース領域からのＤＣＩのサーチをサポートし、該ターゲット・リソース領域が、元のＬＴＥシステムの制御領域であり、該方法が、
基地局から制御リソース構成情報を取得するステップと、
ＤＣＩ伝送領域を判定するステップと、
既定の参照情報および該ＤＣＩ伝送領域に従って、ターゲット・サーチ領域を決定するステップであって、該既定の参照情報が、ブラインド検出ＣＣＥ集約レベル、または該基地局によって送られた物理リソース構成情報を含む、ステップと、
既定のブラインド検出ＣＣＥ集約レベルに従って、該ターゲット・サーチ領域からターゲットＤＣＩを検出するステップと
を含む、方法。
【請求項１３】
前記既定の参照情報が、前記ブラインド検出ＣＣＥ集約レベルを含むことに応じて、前記既定の参照情報および前記ＤＣＩ伝送領域に従って、前記ターゲット・サーチ領域を決定するステップが、
未検出領域のブラインド検出ＣＣＥ集約レベルを判定するステップであって、該未検出領域が、前記ＤＣＩ伝送領域、または前記ＤＣＩ伝送領域のマッピング領域を含む、ステップと、
該ブラインド検出ＣＣＥ集約レベルが、該未検出領域によってサポートされるＣＣＥの最大値に等しいことに応じて、該未検出領域全体のうちの有効領域を前記ターゲット・サーチ領域として決定するステップであって、該有効領域が、セル参照信号、ＣＲＳ、リソースを除いた該未検出領域全体のうちの１つの領域である、ステップと、
該ブラインド検出ＣＣＥ集約レベルが、該未検出領域によってサポートされるＣＣＥの該最大値より小さいことに応じて、前記ターゲット・リソース領域を除いた該未検出領域を前記ターゲット・サーチ領域として決定するステップと
を含む、請求項１２に記載の方法。
【請求項１４】
前記既定の参照情報が、前記基地局によって送られた前記物理リソース構成情報を含むことに応じて、前記既定の参照情報および前記ＤＣＩ伝送領域に従って、前記ターゲット・サーチ領域を決定するステップが、
前記物理リソース構成情報に従って、未検出領域の既定のリソース・マッピング・モードを決定するステップであって、該未検出領域が、前記ＤＣＩ伝送領域、または前記ＤＣＩ伝送領域のマッピング領域を含む、ステップと、
該既定のリソース・マッピング・モードが、第１のマッピング・モードであることに応じて、前記ターゲット・リソース領域を除いた該未検出領域を前記ターゲット・サーチ領域として決定するステップと、
該既定のリソース・マッピング・モードが、第２のマッピング・モードであることに応じて、該未検出領域全体のうちの有効領域を前記ターゲット・サーチ領域として決定するステップであって、該有効領域が、ＣＲＳリソースを除いた該未検出領域のうちの１つの領域である、ステップと
を含み、
該第１のマッピング・モードが、前記元のＬＴＥシステムのデータ領域にターゲット物理リソースをマッピングするように構成され、前記ターゲット物理リソースが、前記ＭＴＣデバイスの前記ＤＣＩを搬送し、
該第２のマッピング・モードが、サブフレームの有効領域に前記ターゲット物理リソースをマッピングするように構成され、該サブフレームの該有効領域が、該サブフレーム内のＣＲＳリソースを除いた時間／周波数領域である、
請求項１２に記載の方法。
【請求項１５】
前記基地局にデバイス能力情報をレポートするステップであって、前記基地局が、該デバイス能力情報に従って、前記ＭＴＣ  ＤＣＩを搬送するためのターゲット物理リソースを既定のＤＣＩ伝送領域にマッピングするように、該デバイス能力情報が、前記ターゲット・リソース領域から前記ＤＣＩをサーチする能力を前記ＭＴＣデバイスが有しているかどうかを示す、ステップ
をさらに含む、請求項１２に記載の方法。
【請求項１６】
プロセッサと、
該プロセッサによって実行可能な命令を記憶するためのメモリと
を備え、
該プロセッサが、
ＭＴＣデバイスのために構成されたＤＣＩ伝送領域を判定することと、
制御リソース構成情報を生成して、該ＭＴＣデバイスに送ることと、
該ＤＣＩ伝送領域における該ＭＴＣデバイスの情報検出能力を判定することであって、該情報検出能力が、ターゲット・リソース領域からのＤＣＩのサーチを該ＭＴＣデバイスがサポートするかどうかを示し、該ターゲット・リソース領域が、元のＬＴＥシステムの制御領域である、判定することと、
該情報検出能力および既定のリソース・マッピング・モードに従って、該ＤＣＩ伝送領域にターゲット物理リソースをマッピングすることであって、該ターゲット物理リソースが、該ＭＴＣデバイスの該ＤＣＩを搬送する、マッピングすることと、
該ＤＣＩ伝送領域にマッピングした該ターゲット物理リソースを通じて該ＭＴＣデバイスに該ＤＣＩを伝送することと
を行うように構成される、
基地局。
【請求項１７】
プロセッサと、
該プロセッサによって実行可能な命令を記憶するためのメモリと
を備え、
該プロセッサが、
基地局から制御リソース構成情報を取得することと、
ＤＣＩ伝送領域を判定することと、
既定の参照情報および該ＤＣＩ伝送領域に従って、ターゲット・サーチ領域を決定することであって、該既定の参照情報が、ブラインド検出ＣＣＥ集約レベル、または該基地局によって送られた物理リソース構成情報を含む、決定することと、
既定のブラインド検出ＣＣＥ集約レベルに従って、該ターゲット・サーチ領域からターゲットＤＣＩを検出することと
を行うように構成される、
ユーザ機器。
【手続補正２】
【補正対象書類名】明細書
【補正対象項目名】０００３
【補正方法】変更
【補正の内容】
【０００３】
特定の配置モードは、ＭＴＣサービスの狭帯域伝送特性を考慮して、ＬＴＥシステムでは、ＭＴＣシステムのためのＰＤＣＣＨリソースが、制御チャネル領域における最初の３個のＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに対応する領域にマッピングされず、ＣＲＳ（セル参照信号：ｃｅｌｌ  ｒｅｆｅｒｅｎｃｅ  ｓｉｇｎａｌ）によって占められた物理リソース位置にマッピングされないが、データ伝送を搬送するＰＤＳＣＨ（物理ダウンリンク共有チャネル：Ｐｈｙｓｉｃａｌ  Ｄｏｗｎｌｉｎｋ  Ｓｈａｒｅｄ  Ｃｈａｎｎｅｌ）リソース内に配置されるというものである。ＭＴＣシステムのためのＰＤＣＣＨリソースは、ＭＴＣシステムのダウンリンク制御情報（ＤＣＩ：ｄｏｗｎｌｉｎｋ  ｃｏｎｔｒｏｌ  ｉｎｆｏｒｍａｔｉｏｎ）を搬送するために使用することができる。
【国際調査報告】
2021527359.tif 000033
2021527359.tif 000034
2021527359.tif 000035
2021527359.tif 000036